(57)【要約】【解決手段】建設現場における天井及び壁に孔を開けるロボット穿孔装置が説明される。ロボット穿孔装置（１００）は、下部構造（１１２）に取り付けられたロボットアーム（１１０）を備え、下部構造は、ロボットアームを作業位置に上げるように配置された昇降機構を備える。ロボットアームは、基端（１１０ａ）と可動端（１１０ｂ）を備え、基端が昇降機構の上面（１１４）に取り付けられ、可動端が三次元空間内で基端に対して移動可能である。ロボット穿孔装置は、可動端に設けられ、穿孔装置（１２２）を保持するためのマウント（１２０）と、ロボットアームの動作を制御するための制御ユニット（１３４）とを更に備える。昇降機構は、好適には、シザージャッキの昇降台を備える。ロボットアーム（１１０）及びロボットアームの任意の支持構造（１３４）の重量が、４３ｋｇ未満であり、好適には個々の重量が２３ｋｇ未満である。【選択図】図１
2017537808.tif 000002
【特許請求の範囲】
【請求項１】
建設現場における天井及び壁に孔を開けるようになっているロボット穿孔装置であって、
下部構造に取り付けられたロボットアームを備え、
前記下部構造が、前記ロボットアームを作業位置に上げるよう配置された昇降機構を備え、
前記ロボットアームが基端及び可動端を備え、
前記基端が前記昇降機構の上面に取り付けられ、前記可動端が３次元空間内で前記基端に対して移動可能であり、
前記可動端に設けられた、穿孔デバイスを保持するためのマウントと、
前記ロボットアームの動作を制御するための制御ユニットと、
を更に備えるロボット穿孔装置。
【請求項２】
前記昇降機構が、シザージャッキの昇降台を備える請求項１に記載の装置。
【請求項３】
前記昇降機構が、テレスコピックリフトを備える請求項１に記載の装置。
【請求項４】
前記ロボットアーム及び前記ロボットアームの任意の支持構造の重量が４３ｋｇ未満であり、好適には個々の重量が２３ｋｇ未満である請求項１から請求項３のいずれか一項に記載の装置。
【請求項５】
前記ロボットアームの前記基端が、垂直面に取り付けられ、前記垂直面から横方向に延出しているショルダージョイントを備える請求項１から請求項４のいずれか一項に記載の装置。
【請求項６】
前記制御ユニットが、前記下部構造の前記昇降機構及び／又は前記下部構造の動作も制御するように構成されている請求項１から請求項５のいずれか一項に記載の装置。
【請求項７】
前記ロボットアームが、前記ロボットアームの前記可動端を６自由度で操作可能にする複数のジョイントを有する請求項１から請求項６のいずれか一項に記載の装置。
【請求項８】
前記マウントに装着された穿孔デバイスと、
前記穿孔デバイスに取り付けられ且つ真空デバイスに接続されて、前記穿孔デバイスのドリルビットの周囲の領域を吸引するシュラウドと
を備える請求項１から請求項７のいずれか一項に記載の装置。
【請求項９】
前記シュラウドが、前記ドリルビットのドリル先端を越えた位置まで延設されている請求項８に記載の装置。
【請求項１０】
前記シュラウド内の吸引を制御する弁が設けられている請求項８又は請求項９に記載の装置。
【請求項１１】
前記シュラウドが、天井又は壁に孔を開けるときに前記シュラウドを収縮させるベローズを備える請求項８から請求項１０のいずれか一項に記載の装置。
【請求項１２】
前記ベローズの内部が、前記ドリルビットの回転時に削りかすが真空源に向かって移動し易くなる螺旋状に形成されている請求項１１に記載の装置。
【請求項１３】
前記シュラウドが、天井又は壁に孔を開けるときに前記シュラウドを収縮させるテレスコピックボディを備える請求項８から請求項１０のいずれか一項に記載の装置。
【請求項１４】
前記シュラウドが、主真空室内の埃及び削りかすをワークの表面に戻す障壁を備える請求項８から請求項１３のいずれか一項に記載の装置。
【請求項１５】
前記障壁が、任意の空気流を前記ドリルビットの回転方向に沿って前記障壁を通過し真空源に向わせる請求項１４に記載の装置。
【請求項１６】
前記障壁が、前記障壁の上方と下方とで圧力を等しく維持するのに十分な流体連通を可能にする請求項１４及び請求項１５のいずれか一項に記載の装置。
【請求項１７】
前記障壁が、空気流に渦流を発生させるように配置された複数の羽根を備える請求項１４から請求項１６のいずれか一項に記載の装置。
【請求項１８】
前記シュラウドが弁を備え、この弁は所定の穿孔深さに達すると開かられる請求項１１から請求項１７のいずれか一項に記載の装置。
【請求項１９】
前記マウントが、振動を吸収するのに十分な移動を可能にする懸架システムを備える請求項１から請求項１８のいずれか一項に記載の装置。
【請求項２０】
前記懸架システムが、前記ドリルビットの軸線と平行な方向にブッシュ内を摺動するように配置された１本以上のロッド又はレールを備える請求項１９に記載の装置。
【請求項２１】
前記懸架システムの一方側が、前記ロボットアームの前記可動端に取り付けるプレートを備え、
前記懸架システムの他方側が、前記穿孔デバイスの座部を提供する構造のプレートを備える
請求項２０に記載の装置。
【請求項２２】
前記懸架システムが、前記マウントを中立位置に戻す１つ以上の付勢デバイスを含む請求項１９，請求項２０又は請求項２１に記載の装置。
【請求項２３】
前記１つ以上の付勢デバイスの予荷重を調節する予荷重調節器を更に備える請求項２２に記載の装置。
【請求項２４】
前記懸架システムが、前記ロボットアームと前記穿孔デバイスとの間の振動による瞬間的な相対的変位を測定する直線位置センサ備える請求項１８から請求項２３のいずれか一項に記載の装置。
【請求項２５】
前記ロボット穿孔装置が天井又は壁上の基準位置を特定するための視覚システムを更に備える請求項１から請求項２４のいずれか一項に記載の装置。
【請求項２６】
レーザトータルステーションを更に備える請求項１から請求項２５のいずれか一項に記載の装置。
【請求項２７】
ＢＩＭファイルへのアクセス及び／又は前記ＢＩＭファイルの読み出しのためのインターネット接続又は通信ポートを更に備える請求項１から請求項２６のいずれか一項に記載の装置。
【請求項２８】
前記制御ユニットが、ＢＩＭファイルを分析し、前記ＢＩＭファイルで指定された孔を開ける順序を決定することで前記ロボット穿孔装置の作業スケジュールを決定するように構成されている請求項２７に記載の装置。
【請求項２９】
前記制御ユニットが、孔の大きさに基づいて、ある配置の孔についての順序を決定するように構成されている請求項２８に記載の装置。
【請求項３０】
前記制御ユニットが、場所に基づき且つ前記ロボットアームのリーチを考慮して、ある配置の孔についての順序を決定するように構成されている請求項２８又は請求項２９に記載の装置。
【請求項３１】
前記制御ユニットが、穿孔作業の開始前に、建設現場における前記ロボット穿孔装置を配置する１つ以上の場所を決定するように構成されている請求項２８，請求項２９又は請求項３０に記載の装置。
【請求項３２】
前記制御ユニットが、開けられた孔に対する仕上げを決定するように構成されたロボットサーバを備える請求項２８から請求項３１のいずれか一項に記載の装置。
【請求項３３】
建設現場における天井及び壁に孔を開ける方法であって、
ロボットアームと、穿孔デバイスと、制御ユニットとを備えるロボット穿孔装置を用意し、
一連の穿孔作業を実行するための指示を前記制御ユニットのメモリにインストールし、
第１の場所を設定し、
前記メモリに記憶されている穿孔作業を開始し、インストールされた前記指示に従って、前記穿孔デバイスを操作してある配置の孔を天井又は壁に開ける一連の制御された動作を前記ロボットアームに行わせる
ことを含む方法。
【請求項３４】
前記ロボットアームを可動下部構造上の昇降機構の上面に固定し、所定のパターンの配置の孔を開け始める前に前記ロボットアームを作業位置まで上げるステップを含む請求項３３に記載の方法。
【請求項３５】
前記指示をインストールするステップが、前記制御ユニットがＢＩＭファイルにアクセスする又は前記ＢＩＭファイルを読み出すことを含む請求項３３又は請求項３４に記載の方法。
【請求項３６】
前記制御ユニットが前記ＢＩＭファイルを分析し、
ライブラリファイルにアクセスする又は前記ライブラリファイルをダウンロードして、前記ＢＩＭファイルが示す部品又はアセンブリに対応する孔の位置を特定する
ことを更に含む請求項３５に記載の方法。
【請求項３７】
前記制御ユニットが前記ＢＩＭファイルを分析し、
前記ＢＩＭファイルで指定されている孔を開ける順序を決定し、好適には更に前記孔に対する仕上げを決定することで前記ロボット穿孔装置の作業スケジュールを決定する、
ことを更に含む請求項３３から請求項３６のいずれか一項に記載の方法。
【請求項３８】
前記制御ユニットが、孔の大きさに基づいて、あるパターンの配置の孔についての順序を決定する請求項３７に記載の方法。
【請求項３９】
前記制御ユニットが、場所に基づき且つ前記ロボットアームのリーチを考慮して、ある配置の孔についての順序を決定する請求項３７又は請求項３８に記載の方法。
【請求項４０】
前記制御ユニットが、穿孔作業の開始前に、建設現場における前記ロボット穿孔装置を配置する１つ以上の場所を決定する請求項３７，請求項３８又は請求項３９に記載の方法。
【請求項４１】
穿孔動作中の振動を、前記穿孔デバイス上のシュラウド内を吸引することで低減する請求項３３から請求項４０のいずれか一項に記載の方法。
【請求項４２】
穿孔動作中の振動を、懸架システムを用いて前記穿孔デバイスを前記ロボットアームとは独立して振動させることで低減する請求項４０又は請求項４１に記載の方法。
【請求項４３】
前記ロボット穿孔装置が慣性計測装置（ＩＭＵ：Ｉｎｅｒｔｉａｌ  Ｍｅａｒｓｕｒｅｍｅｎｔ  Ｕｎｉｔ）を備え、
伸びた状態の前記ロボットアームの位置を測定するステップと、
前記昇降機構の傾きに対する補正量を算出するステップと、
算出した前記補正量に従って前記ドリルの位置又は角度を調節するステップと
を含む請求項３３から請求項４２のいずれか一項に記載の方法。
【請求項４４】
コンピュータプログラム製品であって、ロボット穿孔装置の制御ユニットのプロセッサに読み込まれると、建設現場において天井又は壁にある配置の孔を開ける位置に穿孔デバイスを操作するようにロボットアームが実行する一連の動作を決定可能なコンピュータプログラム製品。
【請求項４５】
前記決定の一部として、前記天井又は壁に関するＢＩＭファイルにアクセスするように更に構成されている請求項４４に記載のコンピュータプログラム製品。
【請求項４６】
前記ＢＩＭファイルで指定された孔を開ける順序を決定することで、建物に対する作業のスケジュールを決定するように更に構成されているクレーム４５に記載のコンピュータプログラム製品。
【請求項４７】
穿孔作業の開始前に、建物における前記ロボット穿孔装置を配置する１つ以上の場所を決定するように更に構成されている請求項４４，請求項４５又は請求項４６に記載のコンピュータプログラム製品。
【発明の詳細な説明】
【技術分野】
【０００１】
本発明は、天井及び壁への穿孔を行うための可搬ロボット穿孔装置及びその装置を用いた穿孔方法に関する。更に、本発明は、振動低減アセンブリ及びそれを採用した可搬ロボット穿孔装置に関する。
【背景技術】
【０００２】
建物の建設、特に新しい事務所スペースやショッピングモール等の大型の建物の建設時には、表面の測定、特に天井及び壁の測定、並びにこれに続く部品及び建物のインフラを取り付けるための孔を開ける作業には膨大な労力が消費される。上記の部品及び建物のインフラは、配線、給水管及び排水管、加熱／冷却流体用の管、空調ダクト、そして勿論これらのサービスに関連するポンプや制御器等の機器が含まれる。ここで挙げたものは、勿論全ての例では決してない。
【０００３】
とりわけ天井への穿孔は、通常、作業者が穿孔位置に届くように梯子又は台の上に立って、その後重い穿孔装置を頭上まで持ち上げる必要があるため、本質的に困難な作業である。この作業では、通常、大量の埃が生じるため、耳、目、及び呼吸の保護等、作業者が最低限順守する必要がある衛生安全要件ある。
【０００４】
とりわけ印を付けるプロセスは、非常に多くの時間を要する作業であり、開けられた孔の最終的な位置、深さ、及び穿孔角度の正確性は、全て作業者の技能に依存している。
【０００５】
今日では、作業者は、コンピュータ上で電子モデルとして事前に用意された計画に沿って作業を行う。コンピュータの処理能力の向上に伴い、電子建物情報モデル（いわゆる「ＢＩＭ（Ｂｕｉｌｄｉｎｇ  Ｉｎｆｏｒｍａｔｉｏｎ  Ｆｉｌｅ）」ファイル）に含まれる詳細も増えている。このため、現在では、表面への取り付け対象の製品や部品のモデルもこのＢＩＭファイルに詳細に記載されている。
【０００６】
天井への穿孔、特にコンクリートの天井への穿孔に関連した課題は以前から認識されており、この作業を課せられた作業者の負担を軽減する試みがいくつか提案されている。
【０００７】
穿孔時における主な問題の１つは、騒音及び埃の発生であり、これらは建設現場の過酷な環境を更に過酷なものする可能性がある。通常真空源に接続される埃回収カラー又はシュラウドが利用可能であり、例えばコンクリートへの穿孔といった行われた作業の直接的な結果として生じる埃の悪影響のいくつかを低減することに成功している。
【０００８】
ロータリーハンマ等の電動工具の使用における課題の１つはその重さであり、特に頭上での作業の場合に、長時間の使用を難しいものにしている。既知のカラー又は覆いは、埃関連の問題を解決するかもしれないが、穿孔システムに重さを大幅に加えてしまう可能性がある。
【０００９】
ロータリーハンマ等の電動工具の他の問題は、工具の操作時に生じる大きな振動である。
【００１０】
先行技術は、電動工具にアタッチメントとして又は最初から組み込まれる形で用いられる振動減衰技術の多数の例を示している。これは、例えばロータリードリル等のロータリーハンマや衝撃工具には特に一般的であり、これらの工具がワークへの直接的な同軸エネルギ伝達に頼るため、このような振動減衰機能から利益を得る。このような電動工具が普及している建設業界では、上記の先行技術による減衰解決手段は、通常カウンターウェイトを利用して、作業者の手や腕又は工具を保持・制御している装置に伝わる振動を制限している。
【００１１】
別の文献は、ロータリーハンマ等の電動工具をワークに固定するためのデバイスを開示している。この固定は、大型且つ硬質のワークに作業する場合、真空を用いることで実現可能である。これにより、表面に恒久的な跡を残すことなく、工具又は工具の治具を表面に効果的に保持することができる。
【００１２】
特許文献１は、固定、穿孔、及び削りかすの除去を行うためのシステムを開示しており、これらの動作に用いる空圧について詳細に説明している。このシステムは、ドリルスタンドの形態であり、孔を開けたい箇所の下に配置するための台車に取り付けられた穿孔装置を備える。埃回収シュラウド内の負圧は、削りかすを除去するだけでなく、ワークに孔を開けるときに制御された量の圧力をドリルに与えるようになっている。
【先行技術文献】
【特許文献】
【００１３】
【特許文献１】国際公開パンプレット第２００１／０６８３００号
【発明の概要】
【発明が解決しようとする課題】
【００１４】
このような可搬マニピュレータは、理論上はよく機能するものの、それ自体が重く、扱い難いことが多い。建設業界には、特許文献１に記載されたデバイスと同様の特徴を有し、従来のロータリーハンマ等に取り付け可能でありつつ、重さを大幅に加えず、人間の作業員が苦労せずに使用可能な軽量のデバイスが求められている。
【課題を解決するための手段】
【００１５】
第１の広義の態様によれば、本発明は、建物の建設現場における天井又は壁に孔を開けるように構成されたロボット穿孔装置を提供すると見なせる。
【００１６】
また、本発明は、建設現場における天井及び壁に孔を開ける方法であって、ロボットアームと、穿孔デバイスと、制御ユニットとを備えるロボット穿孔装置を提供し、一連の穿孔作業を実行するための指示を制御ユニットのメモリにインストールし、第１の場所を設定し、メモリに記憶されている穿孔作業を開始し、インストールされた指示に従って、穿孔デバイスを操作してある配置の孔を天井又は壁に開ける一連の制御された動作をロボットアームに行わせることを含む方法を提供すると見なせる。
【００１７】
また、本発明は、コンピュータプログラム製品であって、ロボット穿孔装置の制御ユニットのプロセッサに読み込まれると、建設現場において天井又は壁にある配置の孔を開ける位置に穿孔デバイスを操作するようにロボットアームが実行する一連の動作を決定可能なコンピュータプログラム製品を提供すると見なせる。コンピュータプログラム製品は、決定の一部として、天井又は壁に関するＢＩＭファイルにアクセスするように更に構成されていてもよい。また、ＢＩＭファイルで指定された孔を開ける順序を決定することで、建物に対する作業のスケジュールを決定してもよい。更に、穿孔作業の開始前に、建物におけるロボット穿孔装置を配置する１つ以上の場所を決定してもよい。
【００１８】
１つの広義の態様によれば、例えば建設現場における天井及び壁に孔を開けるようになっているロボット穿孔装置が提供される。装置は、基端及び可動端を有し、可動端が３次元空間内で基端に対して移動可能なロボットアームと、ロボットアームの基端が固定され、ロボットアームを作業高さまで上げるように配置された昇降機構を備える下部構造と、ロボットアームの可動端に設けられた、天井又は壁に孔を開けるように構成された穿孔デバイスを保持するためのマウントと、ロボットアームの動作を制御するための制御ユニットとを備えてよい。
【００１９】
上記のロボット穿孔装置は、昇降機構により、ロボットアームが比較的コンパクト且つ軽量になり、また、穿孔デバイスが容易に通常の天井高さに完全に届く（吊り天井を取り付ける前の商用品の場合でも）という利点がある。下部構造は相当の重量を有してよい一方で、ロボットアームと指示構造（例えば、制御ユニット及びロボットアームの付属品）は、２人だけ、好適には１人だけで下部構造に取り付けられる程度の軽さでよい。
適宜選択可能ないくつかの特徴の簡単な説明
【００２０】
以下は、本発明の適宜選択可能な代表的ないくつかの特徴の簡単な説明である。
【００２１】
上述したように、装置は、ロボットアームと、ロボットアームを作業高さまで上げるための下部構造を備えてよい。好適な実施形態では、下部構造には、モータが取り付けられており、また、下部構造は、シザージャッキの昇降台（シザーリフト）を備えてよい。このような台は、ロボットアームを高い位置まで上げた状態でも比較的安定した土台を提供できる。出入り口を通れる、幅狭のシザーリフトが利用可能である。これらの構成要素の組み合わせ（モータを取り付けた下部構造とロボットアーム）は、建設現場において１人の操作者だけで比較的容易に操作可能である。
【００２２】
ロボットアームは、穿孔デバイスを３次元空間内で自由に移動可能であり且つ穿孔デバイスの姿勢をこの空間内で制御可能な６自由度を有するものでよい。
【００２３】
ロボットアームは、硬質プラスチック、複合材料、軽量合金などの軽量材料から構成される現在入手可能なロボットでよい。ロボットアームのリーチは、最長で２ｍあればよく、より好適にはそれ未満、例えば１〜１．５ｍ程度でよい。ロボットアームは、穿孔デバイスを持ち上げるのに十分な強度を有し、且つ穿孔、好適には歪みを生じさせずにハンマ動作を行うのに十分な力をドリル先に加えられる必要がある。５０Ｎより大きな上方への力が必要であり、好適には１００Ｎより大きな上方への力（例えば１００Ｎ〜２００Ｎ）が必要である。しかし、上記よりも非常に大きな負荷を扱う能力がある工業機械ロボットである必要はない。本発明では、下部構造によって作業高さまで上げられることで、より一層扱いやすいロボットを使用可能である。
【００２４】
好適には、制御ユニットは、ロボットアームが１組の孔を開けたい領域の下に配置された後、操作者の更なる介入を伴わずに、自律的にその１組の孔を全て開けるようにプログラムされている。このため、穿孔対象の孔の深さ及び向きを高い精度で制御可能である。また、孔毎に移動する必要がある既知のドリルスタンドと比較して、１つの組又は配置における各孔の位置は最初に開けた孔又は基準マークに対して正確に設定可能であり、ロボットアームが１組の位置に届き、ロボット穿孔装置の位置を移動する必要がない。更に重要なのは、これにより、事前に全ての孔の印を付ける必要がなくなる又は少なくともその必要が減るということである。
【００２５】
好適には、ロボット穿孔装置は、例えばレーザ誘導システム等の位置誘導システムを含む。この場合、装置は、建物に対して設定された座標に対して、この装置自体を誘導又は操作することができる。これにより、建築士の設計に沿って孔を正確に開けることができ、穿孔作業の開始前に孔の位置を印すという多くの時間と労力を要する行程が必要なくなる。
【００２６】
ロボット穿孔装置は、ロボットアーム（及び好適には下部構造）の動作を制御する制御ユニットと連動するレーザトータルステーション、好適には独立した従来のレーザトータルステーション等の電子測定デバイスを含んでよい。これにより、ロボット穿孔装置は、部屋又は建物の寸法を特定でき、部屋内における装置自体の位置を高い正確度で判定できる。
【００２７】
なお、好適には、ロボット穿孔装置の制御ユニットは、ＢＩＭファイル（又はその関連性がある部分）を受信する又はそれにアクセス可能である。これにより、ロボット穿孔装置は、建築士の設計に忠実に沿って動作する。上記の電子測定デバイス及びレーザ誘導システムの好適な追加によって、ロボット穿孔装置は、建築士の設計に沿って動作するだけでなく、これを高い正確度で行うことができる。
【００２８】
制御ユニットは、ＢＩＭファイルで指定されている使用予定の部品又はアセンブリを示すために用いられるコードを認識できるソフトウェアでプログラムされてよい。これは、例えば英数字コード、バーコード、又は別のファイルへのリンクでよい。制御ユニットは、この部品又はアセンブリについてライブラリファイルを参照し、ライブラリファイルから取得した情報に基づいて１組の穿孔位置を算出するようにプログラムされてよい。これにより、部品又はアセンブリについての正確な穿孔位置をＢＩＭファイル内に示す必要がなく、対象の部品又はアセンブリを示すコードだけで済む。
【００２９】
制御ユニットは、ＢＩＭファイルを分析して、建物に行う作業のスケジュールを決定してよい。例えば、制御ユニットは、場所（例えば建物内の領域や部屋）又は孔の種類（例えば必要な孔の大きさや穿孔を行う材料）に基づいて、穿孔作業の順序を決定してよい。これにより、穿孔時間を最小限に抑えることが可能になる。更に、制御ユニットは、ロボット穿孔装置の位置を移動する回数が最小限に抑えられる作業のスケジュールに基づいて、ロボット穿孔装置に対して最適な場所を判定してもよい。また、制御ユニットは、この情報を操作者のディスプレイに送り、更に、より大きな面積をより効率的に穿孔できる作業高さを特定、提案してもよい。
【００３０】
従来から、建設現場では、様々な業種の作業者が、その業種の部品またはアセンブリを取り付けるためだけに孔の印を付けに来る。例えば、電気技師が電気回路を設置する前に配線用の孔の印を付け、情報技術の専門家がデータシステム用の孔の印を付け、空調設置業者が空調ダクト用の孔の印を付ける。
【００３１】
ロボット穿孔装置は、制御ユニットがＢＩＭファイルの一部にアクセス又はそれを受信するため、ＢＩＭファイルで特定されている一部または全ての業種に対して、天井又は壁の特定の領域に開ける必要がある全ての孔を特定できるという１つの利点を有する。
【００３２】
したがって、このような好適な構成では、印を付ける必要がない。代わりに、全ての業種に対して、孔の位置及び詳細を全ての保持する電子ファイルが生成される。そして、ロボット穿孔装置は、１回の穿孔プロセスで全ての孔を開けるように指示される。これにより、全ての孔が事前に用意され、様々な作業者が特定の部品やアセンブリを取り付けに建設現場に到着したときには、使用可能になっている。
【００３３】
ロボット穿孔デバイスは、穿孔デバイスが必要に応じて選択可能なサイズの異なるドリルを一式含んでよい。また、様々な作業者に対して、開けた孔のうちどれがどの作業者の孔なのかを示すために、例えばペンキや他のマーカーを用いて孔を色で塗り分け可能な道具を含んでいてもよい。
【００３４】
穿孔装置には、各孔にプラグを挿入するためのデバイスが更に設けられてもよい。これにより、開けられた孔に例えばねじ又はボルトなどの締結部材を入れる準備が完全に整った状態にすることができる。開けられた孔に対応する製品又は作業者の業種を示すようにプラグの色を選択してよい。この他に、プラグは製品や業種を示す形状や印を有してもよい。
【００３５】
このため、新規の本ロボット穿孔装置は、少なくともこのような好適な実施形態において、建設現場に配置され、ＢＩＭファイルの少なくとも一部を用いてプログラムされ、操作者から指示を受けると、ＢＩＭファイル内の情報に応じて一連の穿孔作業を自律的に実行して、該当領域に設定された孔の一部又は全てを開けることが可能である。また、ロボット穿孔装置は、ＢＩＭファイルで指定されている色コードやプラグ、又は他の仕上げを用いて、孔を仕上げてよい。ＢＩＭファイルには、色コードや他の印の詳細が含まれてよい（例えば、どの締結部材に対してどの色のプラグが必要かが記載されてよい）。
【００３６】
これにより、ある業者が部品を間違った位置に配置してしまう且つ／又は別の業者のために用意された穿孔領域へのアクセスを妨げてしまうということに関連した問題を回避できる。このため、後から来た業者は、孔の準備を行うために他者の部品に対する対応作業を行う必要はなく、現場に来て、ＢＩＭファイルに従って部品を所定位置に固定するだけでよい。結果として、いくつかの部品同士を近接させて配置することもできる。更に、特定の作業者の現場にいる時間が大幅に減るため、デベロッパの潜在的な責任が減る。そして、最も重要な点として、工数の削減によって費用が削減される。
【００３７】
レーザトータルステーション等の電子測定デバイスが追加されることで、ロボット穿孔装置は、実際の建物における仮想建物よりも正確でない部分の情報、例えば、測定した差分が理論的な差分と異なる部分の情報を収集することもできる。好適な実施形態として、ロボット穿孔装置は、実際の建物の寸法を反映させた更新ＢＩＭファイルを生成し、これを建築士に送ってもよい。このため、ロボット穿孔装置は、測量及びＢＩＭファイルの更新も行うように機能してよい。また、建物の仮想的な寸法ではなく実際の寸法を考慮して、対象の部品やアセンブリの配置及び位置の変更を提案する必要がある場合もある。
【００３８】
好適には、ロボット穿孔装置は、穿孔で生じる振動の伝達を低減するように構成されたアセンブリを備える。例えば、このアセンブリは伝達を５０％以上低減してよい（即ち、振動の振幅を半減させる）。
【００３９】
好適な実施形態として、この振動低減アセンブリは、穿孔デバイスにおける例えばドリルビットがチャックから延出する箇所の周囲に嵌合されたシュラウドを備える。このシュラウドは、真空デバイスに接続され、穿孔で生じた埃や削りかすの回収に用いられてよい。吸引によりシュラウド内に生じた低圧は、振動の振幅を低減するように作用してよい。これにより、伝達する騒音の量を低減できる。これは、居住者又は利用者がいる既存の建物を改装する場合に特に有利である。
【００４０】
更に、シュラウド内の吸引は、穿孔デバイス及び／又はロボットアームの重さの一部又は全体を相殺できる上方への力又はスラストを発生させることによって、ロボットアームが受ける負荷を低減するように作用してよい。
【００４１】
上記吸引の量は、シュラウド又は真空路内に空気を漏入される弁を調節することで制御されてよい。これは穿孔を補助することになる。例えば、最初に吸引量を増やしてより大きな量の上方へのスラストを最初に作用させることで、ドリルビットがワークの表面を貫通し始め易くなる。そして、望ましくは、穿孔が進むにつれ、吸引量を減らして、より小さな量の上方へのスラストを作用させる。弁は、シュラウドに配置されてもよいし、真空路のより下流側に配置されていてもよい。真空デバイスの出力を制御することで、吸引量を制御してもよい。
【００４２】
好適には、シュラウドは、ドリルビットに対して、従来のダストシュラウドよりも長く、ドリルビットの先端を越えた位置まで延在している。孔の位置を既に把握しているロボットが穿孔を行う場合、ドリルビットの先端が見えなくても問題は生じない。シュラウドの上記の余分な高さによって、ドリルビットがワークに接触する前に最大レベルの吸引を発生させることができる。これにより、穿孔動作が開始してから直ぐにドリルビットに上方へのスラストを加え易くなる。また、この吸引により、ドリルビットをワークの表面で横滑りし難くなり、孔の正確度が向上する。加えて、確実に埃及び削りかすが可能な限り回収されるようになる。
【００４３】
振動低減アセンブリは、穿孔デバイスからロボットアームへの振動伝達を最小限に抑えるようになっているマウントを備えてもよい。好適な実施形態として、振動低減アセンブリは、振動の振幅を吸収するのに十分な距離の移動を可能にする懸架システムを備えてよい。これにより、穿孔中に生じる振動がロボットアームに伝わる前に、この振動を上記マウントにおいて絶縁又は少なくとも低減できる。
【００４４】
懸架システムは、好適にはドリルビットの軸線と平行な方向にブッシュ内を摺動するように配置された１本以上のロッド又はレールを備えてよい。懸架システムの一方側は、ロボットアームの可動端に取り付けるプレートを備えてよく、懸架システムの他方側は、穿孔デバイスのための台座を形成する構造のプレートを有してよい。懸架システムは、マウントを中立位置に戻す１つ以上の付勢デバイスを含んでよい。
【００４５】
振動伝達を低減する懸架システムを備えたマウントと、ロボットアームが受ける力を低減するシュラウドとを組み合わせて用いることで、ロボットを安全停止モードにする可能性がある振動の種類及び大きさが減少するため、ロボットの動作が大幅に向上する。ロボットアームのジョイントを摩耗させる有害な振動を低減させることもできる。更に、負荷及び振動が低減されたため、重量又は強度がこれまで可能と考えられてきたものよりも小さいロボットアームを使用してよい。したがって、軽量化によって、ロボットアームが操作者にとってより扱い易いものになり、また、下部構造の領域を越えてロボットアームを伸ばした場合に生じる問題が少なくなる。
【００４６】
懸架システムによって、ドリルはロボットアームからある程度分離した状態にある。穿孔デバイスの正確な位置を測定するために、懸架システムには、ロボットアームに対するドリルの穿孔軸線に沿った直線位置を連続的に監視する直線位置センサが装着されている。直線変位は、懸架システムの技術的特性によって制限される。システムに用いられるばねの物理的特性を考慮することで、直線位置センサを用いて、ロボットアームとドリルとの間で穿孔軸線に沿って作用する力を測定できる。
【００４７】
このため、システムソフトウェアは、ロボットに対するドリルの位置を連続的に制御する。システムは、直線位置が平衡位置からの最大許容移動距離に近いことを検出すると、この変位を低減するようにロボットをドリル軸線に沿って移動させる。これにより、穿孔対象の孔の実際の深さを制限せずに、直線移動が制限された懸架システムの設計を実現できる。ロボット穿孔装置は、昇降機構の傾きの影響を阻止又は最小限に抑える特徴を含んでよい。例えば、天井に対して力を作用させることができる１つ以上のジャッキが設けられてよい。ジャッキは、昇降機構の上面から押し上げるものでもよいし、床から天井までに及ぶ機構の一部でもよい。１つ以上のジャッキを昇降機構のベースに向けて設けることで、ロボットアームを側方に伸ばした際に、穿孔装置を操作するために用いられる車輪、軌道、又は他の機構の撓みによって生じる傾きを取り去るようにしてもよい。
【００４８】
ロボット穿孔装置は、ロボットサーバに測定フィードバックを提供する慣性計測装置を含んでいてもよい。測定フィードバックを用いて、ＩＭＵが検出した傾き量と同等のドリル位置の移動又はドリルの回転という形で補正量を求めてもよい。１つ以上の反射プリズムをロボットアーム及び／又は昇降機構に取り付けてもよい。そして、レーザトータルステーションからの測定結果を（ＩＭＵの測定結果と共に又はその代わりに）用いて、位置測定フィードバックをロボットサーバに提供して、傾きに対する補正量を求めるようにしてもよい。
【００４９】
これにより、ロボットアームをシザージャッキなどの従来の昇降機構の上から遠い位置まで伸ばした状態でも、正確な穿孔を実現できる。シザージャッキは、建設現場において作業者が操作し慣れた馴染みある装置であるが、精密な装置であることを意図して作られてはいない。
【図面の簡単な説明】
【００５０】
添付図面を参照して、本発明のいくつかの好適な実施形態をより詳細に、例示のためにのみ説明する。図面は以下の通りである。
【図１】本発明の１つの態様に係る、代表的なロボット穿孔装置を示す。
【図２】図１に示すロボット穿孔装置のロボットアームの拡大図であり、複数の動きを示す。
【図３ａ】ロボット穿孔装置の代表的な指示構造の別の図を示す。
【図３ｂ】ロボット穿孔装置の代表的な指示構造の別の図を示す。
【図４】図１に示すロボット穿孔装置と同様の穿孔機能を有する別の代表的なロボット穿孔装置を示す。
【図５】穿孔デバイスをマウントに取り付けたロボット穿孔アームの図を示す。
【図６】好適なマウントをより詳細に示す。
【図７ａ】本発明の他の態様に係る振動低減アセンブリの一部として用いられる好適なシュラウドの断面図を示す。
【図７ｂ】本発明の他の態様に係る振動低減アセンブリの一部として用いられる好適なシュラウドの断面図を示す。
【図８ａ】好適なロボット穿孔装置における様々な構成要素の連携の形態のフローチャートを示す。
【図８ｂ】好適なロボット穿孔装置における様々な構成要素の連携の形態のフローチャートを示す。
【図９ａ】側方に伸ばしきった状態のロボットアームの図である。
【図９ｂ】伸ばし切った状態におけるドリルビットを誇張して示した図である。
【図１０ａ】更に好適なシュラウドの斜視図及び断面図を示す。
【図１０ｂ】更に好適なシュラウドの斜視図及び断面図を示す。
【図１０ｃ】好適な埃よけの拡大図を示す。
【図１１】ＢＩＭファイルからの情報を用いる場合における、穿孔装置に対する準備として行う処理ステップを示すフローチャートである。
【図１２】穿孔装置用のサーボ制御された誘導レーザの概略図である。
【図１３】代表的な真空アタッチメントの構造の斜視図である。
【図１４ａ】反射プリズムに使用可能なプリズムキャップの斜視図及び側面図である。
【図１４ｂ】更に好適なシュラウドの斜視図及び断面図を示す。
【発明を実施するための形態】
【００５１】
図１は、本発明の好適な実施形態の１つの態様の概略的に示す。
【００５２】
本実施形態では、ロボットアーム１１０を有するロボット穿孔装置１００が提供される。ロボットアーム１１０の一端（基端１１０ａ）は下部構造１１２に取り付けられ、ロボットアーム１１０の可動端１１０ｂは、穿孔デバイス１２２を保持するためのマウント１２０に接続されている。
【００５３】
穿孔デバイス１２２を操作して天井１２４又は壁１２６に孔を開けるために、不図示のプロセッサが、ロボットアーム１１０及び下部構造１１２の動作を制御可能になっている。例えば、下部構造１１２の高さを調節することで、穿孔デバイス１２２を天井１２４に向かって垂直方向に移動させたり、壁１２６上の特定の高さまで移動させたりすることが可能である。また、ロボットアーム１１０を様々な軸線に沿って調節することで、天井又は壁へ孔を開けるための天井又は壁に対して穿孔デバイス１２２の位置や姿勢を決める又は穿孔デバイス１２２を移動させることも可能である。
【００５４】
図１に示すように、ロボットアーム１１０は、支持構造１３０を介して下部構造１１２上に搭載されてよい。支持構造１３０は、好適にはボルトや簡易着脱システムなどの締結手段を用いて下部構造１１２に取り付け又は固定されてよい。図示した好適な実施形態では、支持構造１３０は、下部構造１１２として設けられたシザーリフトの昇降台１１４の上面に搭載されている。
【００５５】
下部構造１１２のベース１１６は、建設現場において下部構造１１２を容易に移動できるように、被駆動車輪１１７を備えてよい。一部又は全ての車輪１１７が方向転換可能であってもよい。
【００５６】
従来のシザーリフトでは、車輪は、建設現場でのパンクによる問題を避けるために、中実（即ち空気入りではない）タイヤを備えることが多い。また、タイヤの中実という特性により、昇降台上で重さが移動したときのタイヤの撓みによって生じる昇降台上での変位や不安定さを防ぎ易くなる。下部構造１１２を操作するための他の構成として、同様に大きな撓みが発生しない無限軌道や、下部構造を空気クッションで移動し且つ地面又はスタンド上で静止させて装置を安定に保持するホバークラフト構成なども考えられる。
【００５７】
昇降台１１４は、パンタグラフ（交差するように配置して蝶着された支持部材）の動作によって、下部構造１１２のベース１６に対して上げられる。これにより、ロボットアーム１１０は、天井１２４に向かって上げられるか、壁１２６上の特定の高さまで上げられる。シザーリフトは、建設現場において一般的な道具であり、建設現場において作業者が１人又は数人で容易に扱えるだけでなく、出入り口や他の動きが制限される同様の箇所を通れるようにも開発されている。
【００５８】
好適には、ロボットアーム１１０は複数の部分２１，２２を備える。これらは、互いに対して回動及び／又は回転することで、穿孔デバイス１２２を複数の軸線周りに操作して、天井１２４又は壁１２６に孔を開けることが可能である。一例として、ロボットアーム１１０は６軸ロボットアームであってよい。しかし、穿孔デバイス１２２の所望の動作を容易にするために、他の数の軸線を用いてもよいことに留意されたい。
【００５９】
モータが取り付けられた下部構造１１２によりロボットアーム１１０が適切な作業高さまで上げられた後、ロボットアーム１１０の様々な部分を複数の軸線周りに移動させて、穿孔デバイス１２２を天井１２４又は壁１２６への穿孔を行う位置に配置することができる。更に、必要に応じて、穿孔デバイス１２２をロボットアーム１１０の所定のリーチ内における様々な位置まで移動させて、天井１２４又は壁１２６に複数の孔を開けることも可能である。
【００６０】
支持構造１３０内に制御ユニット１３４を設けてもよい。制御ユニット１３４は、ロボットアーム１１０の制御、下部構造１１２の制御、及び天井１２４又は壁１２６における穿孔位置を特定するためのＢＩＭファイルへのアクセス及び分析を行うために１つ以上のプロセッサを含んでよい。
【００６１】
ロボット穿孔装置１００は、ＢＩＭファイルに提供された寸法に従って動作することで、建築士の設計に忠実に沿って建物に孔を開けることができる。建設現場において操作者がロボット穿孔装置１００を移動させるとき、天井又は壁における特定の領域への穿孔に関するガイダンスを制御ユニット１３４に提供するために、ロボット穿孔装置１００は、建物の該当する箇所に関連したＢＩＭファイルの別の部分にアクセスし且つそれを受信してよい。
【００６２】
更に、図１に示すように、真空源１３２がロボット穿孔装置１００に適宜設けてられてよい。真空源１３２は、穿孔デバイス１２２による天井１２４又は壁１２６への穿孔時における削りかす及び埃の除去の補助として、穿孔デバイス１２２の周囲を吸引するようになっていてよい。図１の示す例では、真空源１３２はホース１３８を含む。真空源１３２は、下部構造１１２の昇降台１１４に取り外し可能に取り付けられてよい。
【００６３】
好適な実施形態として、ロボットアーム１１０は、例えば、硬質プラスチック、繊維強化複合材料、又は軽量合金などの軽量材料から構成される。一方、一般的な工業用の機械ハンドリングロボットは、２７０ｋｇを超える重量を有することがあり、床に設置する必要がある。
【００６４】
衛生安全規則（例えばＯｃｃｕｐａｔｉｏｎａｌ  Ｈｅａｌｔｈ  ＆  Ｓａｆｅｔｙ、ｏｈｓｏｎｌｉｎｅ．ｃｏｍを参照）では、作業者は１人で約２３ｋｇまでの物体を安全に持ち上げられるとされている（規定された数値は、法域によって僅かに異なる場合がある）。好適な構成として、ロボットアーム１１０及び支持構造１３０は、合計４６ｋｇ未満の重量を有する。これにより、例えば、ロボットアーム１１０及び支持構造１３０を昇降台１１４に取り付けるときに、２人の作業者によって、ロボットアーム１１０及び支持構造１３０を安全に持ち上げ、組み付けることが可能である。ロボットアーム１１０及び支持構造１３０の個々の重量を２３ｋｇ未満に抑えられる場合は、１人の作業者だけで装置１００を組み立てることが可能である。また、上記ロボット用の制御キャビネットは通常２３ｋｇ未満である。
【００６５】
昇降台が下げられた位置で適切な作業高さにあるときに、前記パーツを昇降台に取り付けることができる。通常、上記ロボットの組立は、支持構造のフレーム内に制御キャビネットを載置し、ケーブルを電源に接続し、ロボットアームを接続するだけで済み、これらはわずか数分で完了し、特別な訓練を必要としない。
【００６６】
本実施形態では、軽量且つ適度な大きさのロボットアーム１１０は、操作者の更なる労力を必要とせずに、下部構造１１２と協働して標準的な天井の高さに届くことができる。即ち、ロボットアーム１１０を下部構造１１２に取り付けた後は、天井又は壁に孔を開けるために、例えば制御ユニット１３４への指示入力や消費部品の交換を除いて、操作者の更なる物理的介入を伴わずに、穿孔デバイス１２２を垂直方向及びロボットアーム１１０の軸線周りの他の方向に移動させることができる。また、ロボットアーム１１０を下部構造１１２に取り付けた後は、建設現場においてロボット穿孔装置１００を１人の操作者で操作できる。モータが取り付けられた下部構造１１２は、完全自立型でもよく、例えばＢＩＭファイル内の建物の情報及び電子測定デバイスを介した下部構造の位置の認識に基づいて建設現場を走行してもよい。
【００６７】
図２は、具体的には６軸ロボットアームであるロボットアーム１１０の好適な実施形態を示す。
【００６８】
図２に示す実施形態では、ロボットアーム１１０は、ベースマウント２０（基端１１０ａ）、第１アーム部２１、第２アーム部２２、第１リスト２３、及び第２リスト２４を含む。図５からわかるように、穿孔デバイス１２２は、第２リスト２４（可動端１１０ｂ）上の工具フランジに取り付け可能である。
【００６９】
ベースマウント２０は、ロボットアーム１１０を水平軸線周りに回転させるようにベース軸線２００周りに回転してよい（支持構造１３０及び下部構造１１２の配置によっては、「水平」及び「垂直」という記載は全て「略水平」及び「略垂直」とそれぞれ解釈されることを意図している）。第１アーム部２１は、ショルダージョイント２０１を介してベースマウント２０に取り付けられてよい。ショルダージョイント２０１により、第１アーム部２１は矢印Ａ’及びＡ”の方向に回動可能になっている。第２アーム部２２は、エルボージョイント２０２を介して第１アーム部２１に連結されてよい。これにより、第２アーム部２２は、矢印Ｂ及び矢印Ｂ’，Ｂ”が示す方向に移動して、可動端１１０ｂの高さ及び横方向の位置を調節することができる。
【００７０】
第１リスト２３は、第１リストジョイント２０３を介して第２アーム部２２に連結されてよい。第１リストジョイント２０３により、第１リスト２３は矢印Ｃが示す方向に３６０°回転可能になっている。第２リスト２４は、第２リストジョイント２０４で第１リスト２３に連結されてよい。第２リストジョイント２０４により、第２リスト２４は矢印Ｄが示す方向に３６０°回転可能になっている。第２リスト２４には工具フランジ２０５が取り付けられてよい。工具フランジ２０５は、穿孔デバイス（図２では不図示）が工具フランジ２０５に取り付けられた状態において更に別の回転軸線周りに回転移動できるように、矢印Ｅが示す方向に３６０°回転してよい。
【００７１】
方向Ｃ，Ｄ及びＥの回転により、穿孔デバイス１２２のロール、ヨー及びピッチを制御でき、軸線２００周りの回転及び方向Ａ及びＢの回転により、上下方向、左右方向及び前後方向の変位を制御できる。
【００７２】
図２に示す構成は６軸ロボットアームを示している。しかし、この構成に代わる構成として、任意の数の軸線を用いて、ロボットアームを様々な方向に動かせるようにしてもよい。重要なのは、天井又は壁に孔を開けるために、ロボットアームが天井又は壁に届き、天井又は壁に対して穿孔デバイス１２２が適切に配置されるようにロボットアームを制御下で３次元空間内において移動可能にすることである。床に設置されたロボットアームを用いるのではなく、ロボットアーム１１０と、ロボットアーム１１０を適切な作業高さまで上げることができる、図１に示すシザーリフト又は（間もなく説明する）図４に示すテレスコピックリフトなどの下部構造１１２と協働させて用いることで、天井の高さに届くようにしている。
【００７３】
図３ａ及び図３ｂは、ロボットアーム１１０及び支持構造１３０であるフレームの好適な実施形態を示す。支持構造１３０は垂直壁３０１を含んでよい。好適な実施形態として、ロボットアーム１１０は垂直壁３０１に取り付けられてよい。これにより、支持構造１３０及び昇降台１１４の上方付近を中心とする領域の全体にロボットアーム１１０が届く。有利には、図３ａに示すようにベースマウント２０を垂直壁３０１に取り付けることで、ロボットが第１位置（破線で図示）から第２位置（実線で図示）に移動可能になる。これらの位置の間でロボットアーム１１０を伸ばすことができるため、ベースマウント２０が支持構造１３０の水平部分に取り付けられた場合よりも、より大きな天井の領域にロボットアーム１１０が届く。
【００７４】
図３ｂは、ロボットアーム１１０がベース軸線２００周りにどのように回転可能かを示している。好適には、エルボージョイント２０２は、エルボージョイント２０２が支持構造１３０に衝突しないように、常にショルダージョイント２０１と同じかそれより高い位置に維持される。
【００７５】
好適には、穿孔中にロボットアーム１１０を介して伝達されてきた力ができるだけ下部構造１１２の中央を介して伝達されるように、ロボットアーム１１０の基端１１０ａは昇降台の上面の略中央に配置される。これにより、正確な穿孔を維持し易くなる。
【００７６】
好適な実施形態として、制御ユニット１３４は支持構造１３０に収納されてよい、即ち、支持構造１３０内部に保持されてよい。これにより、重心が低く保たれ、使用時にロボットアーム１１０が安定し易くなる。更に、制御ユニット１３４を支持構造１３０とは別体の要素とすることで、重量を最小限に抑えることができる。ロボットアーム１１０及び支持構造１３０の重量は、できるだけ小さいことが理想的であり、２人の作業者でこれらを昇降台１１４上に持ち上げ、載せることができる特定の衛生安全範囲内であることが好適である。制御ユニットは、１人の作業者でそれを支持構造１３０内に載置できるように２３ｋｇ未満であることが好適である。
【００７７】
支持構造１３０に隣接して視覚システム１３６が取り付けられていてもよい。視覚システム１３６は、建物に対して設定された座標又は建設現場内の基準位置に対してロボット穿孔装置１００（図１に図示）が装置自体を誘導・操作できるようにロボット穿孔装置１００にガイダンスを提供する。好適には、視覚システム１３６はレーザ誘導システムであるが、これに限定されない。
【００７８】
視覚システム１３６は、制御ユニット１３４と連携して動作可能であり、例えば、ＢＩＭファイルと連携して動作可能である。これによって、建築士の設計に沿って行う穿孔が正確になる。したがって、視覚システム１３６により、穿孔を開始する前に作業者が建物の天井又は壁に全ての孔の印をつける必要がなくなる。
【００７９】
好適には、視覚システム１３６は、支持構造１３０におけるロボットアーム１１０のベースマウント２０が取り付けられた垂直壁３０１とは反対側に隣接して配置される、即ち、ロボットアーム１１０から離間して配置される。これにより、図３ａに示すような天井１２４に対する遮るものがない投影範囲Ｐを提供しやすくなる。
【００８０】
図４は、他の好適なロボット穿孔装置４００を示す。ロボット穿孔装置４００は、機能的に図１に示したものと同様である。ロボットアーム１１０’は前述のものと同一であってよい。一方、昇降機構は、図１に示したシザーリフトの代わりに、ベース部４０１及びテレスコピック部４０２を有するテレスコピックリフトを備える。
【００８１】
ロボットアーム１１０’のベースマウント２０’は、図３ａにおける支持構造１３０の垂直壁３０１に取り付けたベースマウント２０とほぼ同じように、テレスコピック部４０２の上端における側面に取り付けられてよい。これにより、ロボットアーム１１０’が、天井１２４のより大きな領域に届く。テレスコピック部４０２は、ベース部４０１内にぴったりと嵌合されてよく、制御下でベース部４０１内を垂直方向に前進・後退するようにモータが取り付けられていてもよい。テレスコピック部４０２は、前述の実施形態における支持構造１３０を実質的に提供している。
【００８２】
テレスコピックリフト４０１，４０２は、建設現場において操作者が装置を移動できるように、可動ベース１１６’上に設けられてよい。図１の構成と同様に、ベース１１６’にもモータを取り付けて、制御ユニット１３４’から提供される指示又は作業者の指示に従って自律的に移動可能にしてもよい。上記ロボット用の制御キャビネットは、可動ベース１１６’とテレスコピックリフトのベース部４０１との間に取り付けられてよい。
【００８３】
有利には、テレスコピックリフト４０１，４０２が、ロボットアーム１１０’を垂直方向に更に安定させるようになっていてもよい。こうすることで、特に長いリーチが必要な場合に、天井又は壁への穿孔がより正確になる。
【００８４】
図５は、可動端１１０ｂに穿孔デバイス１２２が取り付けられたロボットアーム１１０を示す。このロボットアーム１１０は、図２で説明したロボットアームと同じ特徴を有してよい。しかし、本実施形態では、ロボットアーム１１０の穿孔デバイス１２２が取り付けられた箇所に振動低減アセンブリ５０１が設けられている。図５に示す例では、振動低減装置５０１は、穿孔デバイス１２２用のマウントでもあり、第２リスト２４の工具フランジ２０５上に設けられている。
【００８５】
より詳細には、図６に示すように、第２リスト２４の工具フランジ２０５には、マウント５０１が取り付け可能である。第２リスト２４は、上述したように第１リスト２３に連結され、これを介して第２及び第１アーム部２２，２１に連結されてよい。マウント５０１は、第１レッグ６０３及び第２レッグ６１３を備えてよい。第１レッグ６０３は、工具フランジ２０５の回転に伴って回転するように工具フランジ２０５に締結されてよい。第１レッグ６０３（工具フランジアダプタ）は、工具フランジ２０５の軸線に対して垂直に延在している。第２レッグ６１３は、第１レッグ６０３に対して直角に延在し、第２リスト２４の外面に沿いつつ間隔を空けて延在している。これにより、第２レッグ６１３は、工具フランジ２０５の回転に伴って第２リスト２４の周りを自由に移動できる。
【００８６】
好適には、振動の伝達を低減するために、上記マウントに懸架システムが設けられている。リニアブッシング６０４を設けることで、１本以上の案内ロッド６０７（例えば、ブッシング６０４を貫通して平行に延在する複数の案内ロッド６０７）に沿って懸架システムの一方の半部分を案内ができる。案内ロッド６０７は、懸架システムの他方の半部分、具体的にはマウントプレート６０５に取り付けられている。
【００８７】
図６に示すように、例えばバネ６０６である振動減衰デバイスが、マウントプレート６０５とリニアブッシング６０４との間に配置されてよい。バネ６０６は、好適にはコイルばねであるが、空気ばね等の他の種類のばねを用いてもよい。これにより、案内ロッド６０７の軸線に沿った一定の移動を可能にして振動を吸収するセミリジッドなマウントが提供される。
【００８８】
上記ばねがリニアブッシング６０４とマウントプレート６０５との間にあると説明したが、ばねは、例えばリニアブッシング６０４の間に、並進運動をばね６０６に伝達する適切なペグ又はプレートを介して配置されていてもよい。
【００８９】
ばね６０６の予荷重の大きさは、例えばブッシングとコイルばねとの間に設けられる予荷重調節ナットで調節可能である。このような予荷重調節器によって、異なる穿孔デバイスの質量に応じた調節及び所与の穿孔デバイス１２２のストローク／振動の振幅を調整可能になる。
【００９０】
必要に応じて、穿孔で生じる埃及び削りかすが懸架システムに入らないようにするために、埃カバーをマウント５０１に装着可能である。
【００９１】
穿孔デバイス１２２は、穿孔デバイス１２２のネックの周囲に延在するドリルクランプ６０８によってマウントプレート６０５に取り付けられてよい（ドリルの本体に通常設けられる切り欠き及びショルダを利用するのが好ましい）。好適には、ドリルクランプ６０８は、マウントプレート６０５のねじ部（不図示）と係合するボルト６０９によって、所定位置に固定される。
【００９２】
マウントプレート６０５は、穿孔デバイス１２２の取り付けに加えて、案内ロッド６０７の軸線に沿った穿孔デバイス１２２の移動を吸収することもできる。これにより、穿孔の間、特にコンクリートなどの硬質材料に対してハンマ機能を用いるときに生じる振動の一定の絶縁が可能になる。
【００９３】
ロボットアームに対するマウントプレート６０５の現在位置を測定するために、直線位置センサをマウント５０１に配置できる。センサの測定値を、懸架ばね６０６の数学モデル及びロボットアームのジョイントの位置と共に用いることで、ドリルからワーク面に加えられる圧力及び穿孔の深さが細かく制御される。
【００９４】
ドリルマウント５０１によって、穿孔デバイスは、ロボット工具フランジ２０５に対してドリル軸線に沿って直線的に移動できる。この移動は、装置に力が加えられていないときに直線位置が平衡位置に戻るように、１つ以上のばね６０６によって規制されている。加えられる力の例として、穿孔デバイス１２２の重さ、穿孔時の抵抗、真空吸引の作用等が挙げられる。装置には、直線位置を連続的に監視する直線位置センサが装着されてよい。直線移動の距離は、装置の技術的特性によって制限されている。直線位置がばね６０６で規制されているため、直線位置センサをドリル軸線に沿った合力の測定に用いることができる。
【００９５】
システムソフトウェアは、直線位置センサの値及びロボットの動作を連続的に制御する。システムは、直線位置が平衡位置からの最大許容移動距離に近いことを検出すると、これとを低減するようにロボットをドリル軸線に沿って移動させて、振動絶縁手段における許容可能な限られた直線移動を確保することができる。ドリル装置の観点から、この組み合わせの構成は、ロボットアーム１１０のリーチのみによって移動が制限される直線作動手段として機能する。これにより、直線移動の距離が減りながらも、直線移動の延長のメリットを妥協していない工具フランジアダプタ６０３の機械設計を実現できる。
【００９６】
この構成は、固定式の装置よりも多くの利点を有する。
・ばねによる直線移動の減衰は、ハンマードリル１２２によるドリル軸線に沿った振動を実質的に１００％相殺する。これは、ばねの抵抗が速度ではなく、位置にのみ依存しているからである。これにより、ロボットアームの摩耗が少なくなり、より低剛性且つ廉価であるとともに、より軽量なロボットアームが可能となる。
・ドリル軸線に沿って過度の力が加えられることに起因するドリルのはまり込みやロボットアームの故障の可能性は実質的にない。
・ドリル軸線に沿って天井に作用する力を以下のようにより良好に制御できる。
○真空吸引を用いて穿孔を行っている間は、直線運動が常に平衡位置又はその近傍で生じるようにシステムがロボットアームを制御するため、工具フランジ２０５は、ドリルからドリル軸線に沿って実質的に分離されることになる。したがって、作用させた真空力を用いてドリルの貫通力を制御できる。ドリル軸線に沿ったロボットアームの動きは、ＰＩＤ等の周知の制御アルゴリズムを用いて計算できる。
・直線の軸線に沿った位置は、ばねの力学が周知であるため、十分な精度の力センサとして使用でき、また、装置に用いているばねの特性に基づいて、位置や加えた力から容易に算出できる。測定の解像度は、直線運動の許容移動距離に直線運動センサの正確度を乗算したものである。
・直線センサとドリル軸線に沿ったロボットアームの位置との組み合わせの位置を用いて、穿孔動作の経過を時間に沿って記録することができる。プロットの分析により、以下のような有用な情報がシステムに提供される。
○ドリルの貫通が規定の順序で進んでいるかを確認できる。曲線の始点において段差が見られる。この段差は、真空源が作動し、シュラウドの上側シールがワークに係合したことに起因するものである。その結果、真空力によって、直ぐに穿孔デバイスが下側の案内ロッドのばねに座した状態で下方位置から上方に引っ張られ、ワークに接触する。最初の段差の後、穿孔デバイスが通電されて一定速度でワークを貫通し始めると、位置−時間プロットが直線状に現れる。
○ドリルの貫通速度が急に低速に変化した場合又は完全に停止した場合、ドリルがコンクリートよりも硬質のもの（金属等）に当たったか、ドリルビットが壊れたことを意味している。これにより、位置−時間プロットの勾配が減少する。
○ドリルの貫通速度が急に上昇した場合、ドリルが貫通している材料がより軟質なものであるか、材料が無くなったことを意味している。ドリルが空洞に達した場合やプラスチック配管に当たった場合等がこれに該当する。これにより、位置−時間プロットの勾配が増加する。
【００９７】
図７ａは、本発明で用いる好適なシュラウド構造を示す。本願の発明者らは、このようなシュラウドが、真空源と共に使用される場合に、穿孔時に周囲に飛散する埃及び削りかすの量を低減できるだけでなく、穿孔デバイス１２２を天井１２４まで持ち上げたときにロボットアームが受ける負荷を低減する上で役立つという１つの大きな利点を発見した。これは、２０Ｎ以上、好適には３５Ｎ以上、より好適には５０Ｎ以上の低減となり得る。更に、１００〜２００Ｎのスラストを加えることまでも可能であり、コンクリート等の硬質材料に孔を開けたときにロボットアームが通常必要とする大きさの力を再現することが可能である。シュラウドの直径を大きくすることで、発生させる力の量を増やすができる。
【００９８】
天井１２４への穿孔の場合、これは特に有益である。コンクリート等の硬質材料へのハンマ穿孔の間に受ける振動が、上記のような穿孔デバイス１２２の一般的な負荷と組み合わさると、最大負荷に近い状態で動作する軽量のロボットアームを損傷させ得るためである。このような振動は、ロボットを物理的に損傷させないとしても、緊急応答としてロボットを停止させる可能性がある。しかし、穿孔デバイス１２２を吸引によって上方に上げる真空源に接続されたシュラウドを採用してロボットアーム１１０の有効負荷を低減することで、ロボットジョイントに対する振動の有害な作用及びロボットが動作不良に陥る可能性が低減される。振動を最小限に抑える又は絶縁するようになっているマウント５０１を更に加えることで、ロボット穿孔アセンブリ１００の寿命及び堅牢性を大幅に高められる。また、埃及び削りかすが回収され、振動により発生するノイズが大幅に低減される。これにより、この好適なロボット穿孔装置１００は、修理や改良工事を行っている使用中の建築物、例えば、居住者や利用者がいながらも作業が行われているアパートやホテル等での使用に特に適したものとなっている。
【００９９】
図７ａのシュラウドは、図１〜６に示した上記の実施形態のいずれにおいても使用可能である。シュラウド７０によって得られる吸引は、特にロボットアーム１１０がそのリーチの最も先端で動作している場合において、ロボット穿孔装置１００に加えられる圧力を大きく低減する。
【０１００】
図７ａは、振動低減アセンブリと共に用いる好適なシュラウド構造７０の断面を示している。シュラウド７０は、穿孔デバイス１２２の上部に外嵌するシュラウド本体７００を含む。シュラウド本体７００は、ドリルビット７０４を穿孔デバイス１２２のチャック（不図示）に挿入するための隙間を残しつつ、チャックの上方で内側に先細るドリルビットシール７０３を有する。ドリルビットシール７０３は、ドリルビット上に配置されたて機能するものであり、ドリルビット７０４が挿入された状態においてドリルビット７０４にぴったりと接するようになっている。ドリルビットシール７０３は、任意のサイズのドリルビット７０４に周囲にシールを形成できるように、一定の柔軟性を有するゴム等の材料から構成されてよい。シールとして機能するドリルビットシール７０３は、ドリルビット７０４の動きを妨げるものではない。
【０１０１】
シュラウド７０から、ベローズ７０６が上方に延出して、シュラウド７０の上部７１を形成している。ベローズ７０６内には、穿孔で生じる埃及び削りかすを回収するための主真空室７０５が画成されている。ドリルビットシール７０３は、主真空室７０５内に真空を形成できるように主真空室７０５の底部を閉塞している（本明細書において「真空」という記載は、いずれも大気圧よりも圧力が低い領域を示すことを意図している。これらの部分において高真空を作る必要はなく、削りかすを十分に取り除き且つロボットアームにかかる重さを低減するのに十分な程度だけ減圧される）。
【０１０２】
例えば真空ホース１３８を用いて真空源１３２に接続するための真空口７０２が設けられている。真空口７０２は、真空接続部７２０によりシュラウド７０の主真空室７０５に接続されている。ベローズ７０６は、ドリルビット７０４の全長に渡ってドリルビット７０４の周囲に延在している。真空接続部７２０及びシュラウド７０の外面は、主真空室７０５から真空口７０２まで流体の流路７５６になっている。
【０１０３】
流路７５６の表面は、シュラウド本体７００の上部の上面の突出部として延出し、真空接続部７２０に向かって下方から下流方向に傾斜する傾斜面７０１によって画成されてよい。傾斜面７０１は、穿孔デバイスが天井１２４に孔を開けている間、埃及び削りかすが真空口７０２に落下しやすくなるという利点がある。真空口７０２は、天井への穿孔に使用される状態においてシュラウド本体７００の上部７０３よりも下方に配置されている。これは、真空ホース１３８が邪魔にならないように、真空ホース１３８をシュラウド本体７００の側方から離れないようにするためである。
【０１０４】
ベローズ７０６の上部における上側シール７０７は、穿孔を行う天井（又は壁）をシールするように配置されている。好適には、上側シール７０７は、ベローズ７０６と天井（又は壁）との間に真空シールを容易に形成できるような材料及び構成を有する。
【０１０５】
ベローズは、上側シール７０７がドリルビット７０４よりも上方に位置して、ドリルビットが天井１２４に接触する前の主真空室７０５内に真空が形成され始めるように構成されている。ベローズ７０６は、穿孔方向、即ちドリルビット７０４の長手方向の軸線に沿って収縮可能である。ベローズ７０６は、作業面に対して垂直ではない角度で孔を開けることが望ましい場合に斜め方向に収縮できるように配置されていてもよい。
【０１０６】
シュラウドを用いて穿孔を行ったときに天井（又は壁）に付く埃の跡を減らす目的から、上側シール７０７とベローズ７０６との間には埃よけ７０８が配置され、穿孔方向に対して垂直に延在している。作業者は、シュラウドを取り付けて天井に孔を開ける際に、跡が残ることを避けるために、真空シュラウドを天井から僅かに離すことで、真空室を形成せず、シュラウドを埃回収用のカップのように用いて孔を開けることを好む場合が多い。このように、作業者は、作業後に埃の跡を消したくないがために、真空の有益な効果を理解していながら犠牲にしている。埃よけ７０８は、シュラウド７０の真空の効果を最大限まで利用しつつ、このような跡の形成を回避するように意図されている。
【０１０７】
埃よけ７０８には、ドリルビット７０４が埃よけ７０８を自由に通り抜けられるように隙間ｙが形成されている。また、埃よけ７０８の上側と下側で圧力を均等に保つために、開口７０９が埃よけ７０８に設けられている。開口７０９により、埃及び削りかすが主真空室７０５内に落下し、真空口７０２から排出される。埃及び削りかすを真空口７０２側に移動し易くするために、ベローズ７０６に１つ以上の漏入孔７７１が設けられてもよい。この漏入孔７７１によって空気が主真空室７０５に流れ込むことで、埃及び削りかすが真空口７０２側に引き込まれ、そこから真空源（付図示）に向かって排出される。
【０１０８】
真空接続部７２０には、必要に応じて減衰弁７１０が設けられていてもよい。減衰弁７１０は、主真空室７０５内の真空が高過ぎて穿孔デバイスの機能を維持できない場合に、開弁して更に空気を取り込んで、真空を下げるようにしてもよい。したがって、減衰弁７１０は、穿孔デバイス１２２が適切に機能するように、調整された環境を主真空室７０５内に提供する。
【０１０９】
真空源１３２を介して埃や削りかすを回収するだけでなく、ロボットアームの有効負荷及び伝達振動の振幅を低減することでロボットアーム１１０の動作不良や損傷の危険性を低減するシュラウド７０は、特に図６で説明したような懸架システムを用いて穿孔デバイス１２２の振動を絶縁する場合に、相乗効果を奏する。
【０１１０】
図７ｂは、シュラウド７０の代替実施形態を示す。この代替実施形態では、ベローズ７０６の代わりに、主真空室７０５内の真空を維持するように互いに組み付けられた剛性の高い上側及び下側係合部７６１，７６２から構成されるテレスコピックボディが設けられている。図が示すように、上側部７６１は２重の壁になっており、上側部７６１及び下側部７６２の係合面からの埃の侵入をより良好に防いでいる。
【０１１１】
本実施形態は、まず、直線懸架システムが必要ない点で前述の実施形態と異なる。代わりに、上側部７６１が、固定マウント７６３を介して工具フランジ２０５及び工具フランジアダプタに直接接続されている。
【０１１２】
主室７０５内の真空は、前述の実施形態と同じように作用して、ドリル１２２に接続された下側部７６２をワークに押し付ける吸引を発生させる。しかし、上側部７６１と下側部７６２との間の摩擦が最小である限り、工具ビット７０４をワークに貫入させることによって発生するいかなる振動も、上側部７６１に伝達されることはない。下側部７６２は、移動規制部７６４により、上側部７６１から外れることを抑制される。
【０１１３】
テレスコープ構成の実施形態における下側部に工具フランジアダプタが取り付けられている場合は、戻しばね７６５が含まれる。この戻しばねは、上側部７６１がワークに接触していない状態において、上側部７６１を下側部７６２から離れる方向に押して、完全に伸びた状態の主真空室７０５を形成できればよい。戻しばね７６５は、真空が形成されている状態では、ワークへの穿孔時におけるテレスコピックな主真空室がつぶれることを妨げない。
【０１１４】
本実施形態は、上縁７０７が、単に軸方向に作用する吸引力ではなく、横方向の摩擦によってワークを強固に把持する複数の突起を更に含む点で更に異なる。剛性の高い壁である上側部７６１及び固定マウント７６３から工具フランジまでを共に用いることで、本代替実施形態は、地面から天井まで達するジャッキのように機能する。これは、ワークからロボットアーム１１０、支持構造１３０、及び下部構造１１６を介して下部構造１１６下方の地面までが強固に連結されるからである。ロボットアーム１１０は、持ち得る全ての力を作用させて、上側部をワークに固定することができる。このため、上述の好適な実施形態と同様に、正確性が上がり、ロボットアーム１１０の摩耗の増加が緩和される。本代替実施形態では、上述したワークへの強固な連結によって、ドリル軸線に対して垂直な軸線に沿ってロボットアームに伝達される振動も低減される。
【０１１５】
図８ａ及び図８ｂは、ロボット穿孔装置における様々な構成要素の連携の形態のフローチャートを示す。
【０１１６】
好適なロボット穿孔装置１００は、例えばタブレットやスマートフォン等のｗｉｆｉルータ８０２と通信可能な演算デバイス８０１を備える。ｗｉｆｉルータ８０２は、ロボットコントローラ８０４に接続されたロボットサーバ８０３と通信できる。ロボットコントローラ８０４は、穿孔デバイス８０５、ロボットアーム８０６、真空源８０７、及びラインレーザデバイス８０８を制御できる。ロボットサーバ８０３は、レーザトータルステーション８１０に接続されたトータルステーションインターフェース８０９及び視覚システム８１１から更なる入力を受信する。また、ロボットサーバ８０３は、図８（ｂ）における同様の構成に示す慣性計測装置（ＩＭＵ）８１２からデータを受信してもよい。この詳細は後述する。
【０１１７】
ノートパソコン、タブレット、又はスマートフォン等の演算デバイス８０１は、ロボットサーバ８０３と通信するために用いられてよい。この通信は、有線接続で行うことも可能だが、無線接続、例えばｗｉｆｉ、インターネット接続、Ｂｌｕｅｔｏｏｔｈ接続、又は無線伝送で行うことが好適である。
【０１１８】
ロボットサーバ８０３は、ロボット穿孔装置１００及びその穿孔デバイス１２２の正確な位置を算出でき、ロボット穿孔装置の全ての動きを追跡できる。ロボットサーバ８０３は、現在位置に関する状況を、演算デバイス８０１を介して操作者にフィードバックできる。
【０１１９】
現在位置は、レーザトータルステーション８１０及び視覚システム８１１（好適には、ロボット穿孔装置１００に配置される）からの入力に基づいて算出されてよい。レーザトータルステーション８１０は、建設現場におけるロボット穿孔装置１００近傍の穿孔が行われる箇所の床（又は壁）に設置されてよい。
【０１２０】
効率が優先される状況では、慣性計測装置（ＩＭＵ）８１２がヨーや移動距離等の位置や向きのデータをロボットサーバ８０３に送ることができる。例えば、吊り天井の場合等、精度がそれほど重要でない状況では、ＩＭＵ８１２が測定データを取得する速度（これは、トータルステーションの測定、特に複数のプリズムを用いたヨー及び距離の測定よりもはるかに速い）により、穿孔作業の速度を上げることができる。ＩＭＵ８１２を単独又はトータルステーション８１０と組み合わせて使用して、例えばジャイロのドリフトを較正することが可能である。
【０１２１】
ロボットサーバ８０３は、建物の仮想モデル及びそれに関する要件を提供するために、ＢＩＭファイルを受信できる。この情報は、ロボットアーム８０６及び穿孔デバイス８０５の動きを案内するために用いることができる。ロボットサーバ８０３は、ＢＩＭファイルをＵＳＢデバイスや他のメモリデバイスから受信するために、ＵＳＢポート又は同様の入力ポートを含んでよい。ロボットサーバ８０３は、例えば、インターネット接続経由でルータ８０２を介してオンラインサーバからＢＩＭファイルを受信してもよい。また、例えば、ＢＩＭファイル又はＢＩＭファイルの関連性がある部分が操作者の使用する演算デバイス８０１にダウンロードされている場合、例えば、操作者のタブレットが現場事務所に持ち込まれ、所与の建設プロジェクトに関するファイルがダウンロードされている場合、演算デバイス８０１からそのＢＩＭファイルを受信することも可能である。
【０１２２】
小さな場所では、レーザトータルステーション８１０が必要ないこともある。そのような場所での作業においては、ロボット穿孔装置はその地球上の位置を特定する必要はなく、局所的な位置及び向きを視覚システム８１１で把握するだけでよい。天井１２４又は壁１２６上に（ラインレーザ８０８から）レーザ線を視覚システム８１１用の基準線として映してよい。一対のレーザ線を用いて、視覚システム８１１の視野内にレーザの十字線を形成してもよい。
【０１２３】
上記の２つの動作モード（即ち、ロボットサーバが地球上の位置を把握するモードと局所的な位置のみを把握するモード）は、例えば操作者のタブレット８０１上の制御ソフトウェア又はアプリケーションによってサポート可能である。これにより、操作者は、トータルステーションモード、レーザ線のみのモード、及び例えば操作者がある配置の孔のうちの１つが開けられていない箇所を発見した際に役立つ単一孔モードの中から選択することができる。この後は、操作者は、レーザポインタで視覚システム８１１の視野内に開けるべき１つの孔の位置を示すだけでよい。
【０１２４】
例えば操作者が操作するタブレットやスマートフォン等の演算デバイス８０１は、好適にはスタンドアロンのデバイスである。好適には、演算デバイス８０１は、ロボット穿孔装置１００が穿孔を開始するときに操作者がロボット穿孔装置１００から下がって距離を置けるように、ロボット穿孔装置１００の他の部分と無線通信を行ってよい。
【０１２５】
また、ロボットコントローラ８０４は、内部リレーを制御して、視覚システム８１１が使用するラインレーザ８０８に電力を供給する。ロボットコントローラ８０４は、穿孔デバイス８０５及び真空源８０７の電源を制御することもできる。
【０１２６】
ｗｉｆｉルータ８０２、トータルステーションインターフェース８０９、ロボットサーバ８０３、視覚システム８１１、ロボットコントローラ８０４、ラインレーザ８０８、穿孔デバイス８０５、ロボットアーム８０６、及び真空源８０７は、例えば、下部構造１１２に搭載された構成要素の集合として、全て互いに近接して配置可能である。電源コードは１本だけでよく、内部からこれらの構成要素の全てに電力を供給可能である。
【０１２７】
上述したように、ロボット穿孔装置１００は、天井１２４又は壁１２６に所定の配置の孔を開けるために、ＢＩＭファイルにアクセスし、それを読み出して、穿孔デバイス１２２を配置する位置を決定してよい。ロボット穿孔装置１００は、ＢＩＭファイルを参照することで、作業者に全ての孔の測定を最初に行わせることなく、建築士の設計に沿って孔を開けることができる。ＢＩＭファイルは、天井１２４又は壁１２６における孔の位置だけでなく、孔の深さ及び所与の基準位置に対する角度も示す情報を含んでよい。
【０１２８】
ロボットコントローラ８０４は、ＢＩＭファイルで特定された所与の部品に対応する孔の寸法、位置、及び向きをライブラリファイルで検索可能であってもよい。ライブラリファイルは、ルータ８０２を介してアクセスされるリモートサーバに記憶されていてよい。ライブラリファイルは、製造会社から提供されてもよいし、一般的に用いられる様々な指定の備品の孔に関する要件のデータベースでもよい。
【０１２９】
ロボットコントローラ８０４は、ＢＩＭファイルの情報から、例えば孔の直径や特定のフロアや部屋の種類に応じて、作業を分類し、作業スケジュールとしてまとめられるようになっていてもよい。また、ロボットコントローラ８０４は、ロボット穿孔装置の位置及びロボットアームの高さを変更する回数を最小限に抑えるために、作業スケジュールを実行する上でロボット穿孔装置が配置されるべき最適な位置と、ロボットアームが上げられるべき最適な高さとを算出できるようになっていてもよい。最適な生産性を実現するためのロボット穿孔装置１００の次の移動先に関する詳細を、演算デバイス８０１のディスプレイを介して操作者に伝えることが可能である。
【０１３０】
したがって、好適な実施形態では、操作者はロボット穿孔装置１００を配置し、起動するだけでよい。その後は、ロボット穿孔装置１００は、自律的にある配置の孔を天井又は壁に開け、様々な業者が器具や部品を来て取り付けるために、プラグやカラーコードで孔の仕上げを行うことができる。
【０１３１】
カラーコードは、開けられた孔の内部及び周囲に塗布されるペンキ、インク、顔料、ジェル、又は他の着色した物質でよい。着色した物質は、その印が見えてしまう又は他の塗装仕上げの障害になってしまわないように、水又は他の溶剤で除去可能なものでよい。コードは、種々の孔を表すステッカー又は他のフラグや印も含んでよい。
【０１３２】
開けた孔のプラグは、通常プラグ又は孔の大きさを示すために、様々な色で提供可能であることが知られている。本発明では、各プラグは、そのプラグが対象とする特定の取付具を示すか、用意された孔が対象とする特定の業種又はそのような括りを細分化したものを示すように色分けされてよい。例えば、ある色は照明、ある色は電源、ある色はデータ線、ある色はセキュリティシステム、ある色は安全システムといったように用いられる。プラグは、色の代わりに、例えば形状やコード等の他の形態の印を有してもよい。このように印が付けられたプラグは、取付具（又は他の取付部品）に覆われるため、工事が終了した後の建物では、その印が見えないという利点を有する。
【０１３３】
特定の取付具や特定の業種の孔がＢＩＭファイルに設定されている場合は、建物にものを取り付けるときに、ＢＩＭファイルに含まれている情報を基に、発光デバイスで特定の取付具や特定の業種の孔を照らすことも可能である。開けられた孔は、このようなマッピング用の座標を設定する際にも使用できる。
【０１３４】
物理的な印の代わりに、ＢＩＭファイルによって生成され、部屋の画像に重ねられる仮想的な印（この印が無い場合は、例えば、開けられた孔の位置を確認済みのロボットサーバがこの孔をＢＩＭファイルに追加することで作成するエンリッチ電子ファイルが用いられる）を視認する視覚支援手段を建設作業員に提供してもよい。例えば、この仮想的な印は、タブレットやスマートフォン等のポータブル電子デバイスに、部屋のカメラ画像にオーバーレイとして表示されるか、電子眼鏡の視界にオーバーレイとして表示される。
【０１３５】
一般的には、建設現場で見られる全ての可動昇降台は、標準的な出入り口を通れるように十分に幅狭に設計されている。ロボットアーム１１０は、軽量でありつつ、リーチができるだけ長いことが望ましい。実際の使用時には、これは、リーチがシザーリフトの台の領域の外側にまで及ぶということになる。シザーリフトは、垂直方向には強度があるものの、作業台上にある質量の横方向の移動、特に台の領域の外側にまで及ぶ重さの移動に対する剛性が幾分欠如している。この剛性の欠如により、台の外側で孔を開けようとすると、正確性が低下してしまう。
【０１３６】
図９ａは、ロボットアーム１１０をここでは下部構造１１６の右側に伸ばしきった状態で、天井１２４に孔を開けている様子を示している。コンクリートに孔を開けるには、１００〜２００Ｎの上方への力が必要である。このため、穿孔が開始する前に、増加した曲げモーメントが右側から発生することになる。この結果、ドリルビットが横方向に移動する（図９ｂのＬ）と共に、作業台の角度の変化に伴ってドリルビットの角度も変化してしまう（図９ｂの角度θ）。これにより、ドリルビット７０４は、意図した位置を越えて、この位置から外れ易くなる。また、ドリルビットが表面を貫通して孔を開けたとしても、はまり込んでしまう可能性が高い。
【０１３７】
ここでの問題は、通常、穿孔力が穿孔の開始時において最も大きいということである（ドリルにもよる）。これは、ロータリーハンマの動作で説明できる。ハンマ部を作動させるには、一定の大きさの力が必要である。一方、開始後に穿孔を維持するために必要な力は、開始時のピークの力よりも僅かに小さい。この結果、台が開始時の穿孔を耐えられたとしても、中立位置に近い位置まで揺動して戻ることになる。ドリルビットがワークに深く入ってしまっていると、はまり込み易い。仮にはまり込まなかったとしても、孔壁との摩擦が増加しているため、穿孔を継続するために必要な力も増加している。より大きな力を加えると、上記の一連の動作が再び始まってしまう。振動減衰手段やより高剛性の構造なしでは、定常揺動が発生して、ロボットが安全停止モードに入ってしまうため、その有用性が失われる。
【０１３８】
正確性は可動ロボット穿孔装置の１つの重要な特徴である。本質的に正確性が限られている可動及び昇降下部構造と正確性が高いロボットアームとの組み合わせを備えることで、必要な範囲の動き（具体的には高さ方向の動き）及び正確性（好適には１ｍｍ以内）が得られる。質量の移動により生じるいかなる曲げも、視覚システム８１１及び／又はレーザシステム８０８，８１０及び／又は慣性計測装置８１２によって、ドリル１２２，７０４が接触する前に補正可能である。このため、全体としては、顕著な正確性の低下はないはずである。シザーリフト等の昇降下部構造１１２の使用には、ロボットアームを側方に伸ばした状態における曲げモーメントによって生じる傾きの量を予測するのが困難であるという側面がある。慣性計測装置８１２を用いて、傾き量を測定し、誤差を低減する補正量を求めることができる。真空シュラウド７０と組み合わせることで、更に確実に孔を正しい位置に開けることができる。
【０１３９】
シザーリフトは、完全に伸ばされ且つ作業台１１４上に人間が少なくとも１人いる状態において転倒しないように、重い装置である必要がある。一方、ロボットアーム１１０は可能な限り軽量であることが求められている。ロボットアームの質量が台の設置領域の外側にある状態、例えば、アームを伸ばしきった状態では、アームが転倒する危険がある。重いロボットアームであれば、揺動に起因する潜在的な問題を減らすことができるが、実際にその設置には時間がかかり過ぎる。このため、設置が容易でありながら、軽量であるロボットアームが求められる。
【０１４０】
なお、振動は２つの種類に分類できる。１つは穿孔デバイス１２２から直接発生する振動である。これは、高周波数で低振幅の振動であり、「手腕振動障害症候群（白蝋病）」（ｈａｎｄ−ａｒｍ  ｖｉｂｒａｔｉｏｎ  ｓｙｎｄｒｏｍｅ（ＨＡＶＳ）、職業病とされている（ソース：ｈｓｅ．ｇｏｖ．ｕｋ））の原因としても知られている。ロボットアームに振動する工具を保持させることで、人間の作業員はこの障害のリスクをから解放される一方、この振動によってロボットに問題が生じる可能性がある。ロボットが精密機械であり、外部からの歪みの影響を受け易いことを考慮すると、振動する工具とロボットアームとの間に振動減衰デバイスが必要である。
【０１４１】
上記の振動減衰手段は、それ単体では、ワークへの穿孔に要する力を消すことはない。ドリルビットがワークを貫通するには、過渡／ピーク部分がスムーズになっても大きな力が必要である。この力が、台の設置領域の外側で合力（穿孔力及び穿孔デバイスを装着したロボットアームにかかる重力）が作用する状況において、上げた状態の台に対する曲げモーメントを発生させている。この曲げモーメントは、潜在的に危険であり、台を転倒させる可能性がある。
【０１４２】
真空デバイス（シュラウド及び真空源１３２）は、この場合では穿孔力に抗する真空力を発生させることで、穿孔力を閉鎖された環境内に抑制するために追加されている。このため、台を曲げるように作用する力は、ロボットアーム１１０の重さ及び位置によって生じる一定の力だけになる。
【０１４３】
真空力を穿孔力に抗して作用させるだけでなく、ロボットアームの重さにも抗して作用させるという構成も考えられるが、実際にはその効果は小さい。これは、穿孔デバイスを所定位置に移動させている間は、ワークへの強固な流体接続が必要である真空力をロボットの重さに抗して作用させることできないためである。曲げモーメント及び転倒の危険は、軽量のロボットアームを用いることによってのみ低減できる。しかし、物理の法則により、アームが軽量であるほど、工具の振動の影響が大きくなり、振動減衰手段を用いることで得られる効果がより重要になる。
【０１４４】
この問題に対し、最後に１つ詳細が必要である。ロボット等の精密機械を採用する理由は、高い正確性の実現である。本明細書で説明した振動減衰手段を導入した場合、少なくとも穿孔方向における正確性が低下する。しかし、総合的に見れば、ロボットの動作に関わる堅牢性を改善した振動低減減衰システム及びその寿命の改善というメリットの方が優先される。
【０１４５】
図１０ａ〜図１０ｃは、シュラウド７０の埃よけ７０８を別の好適な形態にしたシュラウドを示す。図１０ａはシュラウドの斜視図、図１０ｂは縦断面図、図１０ｃは埃よけを下方から見た図である。
【０１４６】
本実施形態では、漏入孔７１１を垂直埃よけ羽根７８１の上方に配置することで、埃の除去のために制御された空気の流れを促すことができる。垂直羽根７８１は、空気中に渦流が形成され易くなるように、タービン翼のように傾斜、湾曲している。これにより、通常の動作時に、回転するドリルビット７０４により発生する埃が主真空室７０５内に導き易くなる。埃等のより重い粒子は、遠心力によって、渦流の外側に向かって移動する。ベローズ７０６の壁は、天井１２４（又は壁１２６）から離れる方向に沿って螺旋状に形成されており、慣性を利用して、埃を真空口７０２に向かって回転させる。予備試験（２０１５年８月）から、上記の埃よけにより、天井を通常地面から見るときの距離よりも近い距離から注視しない限り、天井の埃の跡が視認できない程度まで天井の埃の跡を減らせることがわかった。
【０１４７】
埃よけ７０８の中央に突出している円筒部７８３の先端７８２は、容易に圧縮可能な軟質材料から構成されている。これにより、いかなる接触も妨げず且つ上側シール７０７とワーク１２４，１２６との間のシールを低下させずに、ワーク１２４，１２６との接触が可能になっている。
【０１４８】
ドリルは、上記ドリル取付デバイスによって、ロボットの工具フランジに対してドリル軸線に沿って直線移動が可能になっている。この移動は、装置に力が加えられていない状態で直線位置を平衡位置に戻すように配置された１つ以上のばねによって規制されている。加えられる力の例として、ドリルの重さ、穿孔時の抵抗、真空吸引の作用等が挙げられる。装置には、直線位置を連続的に監視する直線位置センサが装着されてよい。直線移動の距離は、装置の技術的特性によって制限されている。直線位置がばねによって規制されているため、直線位置センサをドリル軸線に沿った合力の測定に用いることができる。
【０１４９】
図１１は、穿孔装置１００がＢＩＭファイルで計画された通りに１組の孔の開けるときの準備として実行する代表的な処理ステップを示すフローチャートである。図における左側の長方形１１００内のステップは、例えば計画室や建設現場の事務所等の任意の場所で実行できる。図の右側のステップは、実際の建設現場で実行される。
【０１５０】
ステップ１１０１において、ＢＩＭファイルにアクセスする。ＢＩＭファイルは、クラウドサーバに記憶されていてもよいし、ローカルコンピュータ、例えばコンピュータの記憶ドライブやＵＳＢスティック等のポータブルメモリデバイスに記憶されていてもよい。そしてステップ１１０２において、ＢＩＭファイルにフィルタをかけて、穿孔装置１００が必要なパラメータを抽出する。例えば、穿孔が必要な部品だけが選択されるようにＢＩＭファイルにフィルタをかけてよい。ＢＩＭファイルからは、孔のパラメータを抽出できる。例えば、各孔の座標、深さ、直径、仕上げ等を抽出できる。
【０１５１】
このステップ１１０２では、所与の製品に関する穿孔情報を検索するステップを実行してもよい。例えば、ＢＩＭファイルには、コンピュータシステムが参照可能な製品を特定するためのコードを含まれていてよく、また、製品寸法等が記載されたウェブサイトへのハイパーリンクが設けられてもよい。このような検索動作を行うコンピュータシステムは、図８ａ又は図８ｂのロボットサーバ８０３でもよいし、ロボットが通信可能なリモートサーバでもよい。ＢＩＭファイルのコピーを保持する同じコンピュータシステムでもよい。
【０１５２】
孔のパラメータを特定すると、コンピュータシステムは次にステップ１１０３の１組の穿孔対象孔を表すための座標系の原点及び向きを選択する。
【０１５３】
そして、コンピュータシステム（リモートサーバでもよいし、ロボットサーバでもよい）は、ＢＩＭファイル情報（フィルタ後）から、穿孔対象孔の座標値のファイルを作成する。これは例えばＣＳＶファイル形式でよい。
【０１５４】
孔の座標値及び他の記述を含むファイルが現場外で作成された場合は、ステップ１１０４において、このファイルをロボットサーバ８０３に送信する。ファイルは、ステップ１１０９において作業スケジュール表に組み込むことが可能である。
【０１５５】
ステップ１１０１〜１１０４は、例えば建築士のサーバ、計画室や建設現場の事務所のコンピュータシステム、又はロボット穿孔装置１００に対して対応業務を行う会社のコンピュータシステム等の外部のコンピュータシステム上で実行してもよい。一例として、これらのステップはノートパソコン又はタブレットのプロセッサによって実行され、その情報はステップ１１０４においてＷｉ−Ｆｉ又はＢｌｕｅｔｏｏｔｈ通信でロボットサーバに送信される。別の例では、ロボットサーバ８０３が、操作者の使用する例えばノートパソコン又はタブレットコンピュータ等のインターフェースの制御下で、ステップ１１０１〜１１０４のうちの１つ以上のステップ、場合によっては全てのステップを実行可能である。
【０１５６】
建設現場では、トータルステーション８１０が建物内に設置される（ステップ１１０５）。トータルステーション８１０を実際にどこに配置するかは重要ではない。作業を行う天井又は壁に視線を向けた状態でトータルステーション８１０が任意の位置に設置されていればよい。
【０１５７】
ここで注目すべき点は、操作者がトータルステーション８１０の位置を測定する必要がないことである。通常であれば、現場測量のときにこれを行う必要がある。従って、時間を節約できる（トータルステーション８１０の測定は、後述する後続のステップ１１０８において穿孔装置１００に対して仮想穿孔線をマッピングするときに間接的に行われる）。
【０１５８】
次に、ステップ１１０６において、操作者は穿孔基準線の開始点を測定する。これは、通常、１列に並ぶ複数の照明器具の中の最初の照明器具の中心である。１つの部屋において複数の列の器具が互いに平行に並んでいることが多い。手作業で孔を開ける場合と同様に、照明壁や隅等の特徴部分を探すことで、図面上の開始点を現実世界でも見つけることができる。天井（又は壁）に印を付けることで、現実世界において開始点を特定することができる。
【０１５９】
そして、ステップ１１０７において、操作者は、例えば照明器具の列の反対側における位置を特定することで穿孔基準線の終点を測定し、同様に印を付ける。
【０１６０】
反射プリズムを開始点に固定してもよい。トータルステーション８１０は、ロボットのソフトウェア用のインターフェースを用いて、この位置を測定できる。この位置は、ロボットサーバに自動的に記憶されてよく、好適には、ＢＩＭファイルの座標系と同じ原点（０，０）が与えられる。この後、反射プリズムを天井に印した終点まで穿孔基準線に沿って移動し、その位置をトータルステーション８１０で測定し、ロボットサーバに記憶させることが可能である。終点の位置は、ＢＩＭファイルと同じ原点を用いて記憶されてよい。例えば、ＸをＢＩＭ座標系の概念的なｘ軸に沿った距離とした場合、（Ｘ，０）として記憶される。
【０１６１】
上記の２つの点により、原点（０，０）と向きの両方がマッピングされたことになる。これは、マッピングされた１本の軸線の方向が、直交座標系の他の軸線に直交するからである。また、仮想穿孔線に対するトータルステーション８１０の相対位置も間接的に測定されたことになる。この位置は、作業領域における全ての孔の基準位置として用いることができる。
【０１６２】
ステップ１１０８において、トータルステーション８１０の座標系（トータルステーション座標系）で穿孔装置１００の位置、具体的にはロボットアームが装着されたロボットの位置が測定される。これにより、上記位置がＢＩＭ座標系でマッピングされる。
【０１６３】
穿孔装置１００の相対的な向きも測定する必要がある。以下に説明するように、これは、複数の方法で実現可能である。
【０１６４】
操作者は、穿孔線に対して平行に可視レーザ線を合わせることができる。これにより、ロボットの視覚システム８１１は穿孔線に基づいて向きを直すことができ、ロボットサーバは穿孔線に対する穿孔装置１００の相対的な回転を自動的に算出する。この方法は、ロボットに必要なものが１つの反射プリズムだけであるため、時間が節約できるという利点を有する。したがって、トータルステーション８１０は、あるプリズムを測定し、その後に次のプリズムを探して再度測定する必要がない。また、例えば、視覚システム８１１が実際の穿孔線を視認できないほど穿孔線の近傍にロボットを配置する必要がある状況において、平行レーザ線をロボットの視覚システム８１１の視野内に入れることができるため、上記の方法は非常に汎用性が高い。
【０１６５】
このため、ラインレーザを穿孔線と完全に平行になるように配置することができる。操作者は、穿孔線に平行な１組の位置の印を事前に付けておくことができる。これらは、レーザの位置合わせ用に、作業者が任意の位置から少なくとも２つの印が見えるような間隔で配置されるべきである。このレーザの位置合わせは、穿孔時間を増やさないために、ロボットが穿孔を行っている間に行うことができる。この方法の考えられる欠点は、可視レーザラインを配置する人間に頼っているため、配置が不正確になり、孔が正確に開けられない可能性があることである。しかし、この不正確性は、ロボットの現在位置に限られており、穿孔線には及ばない。
【０１６６】
別の方法では、２つ又は３つの反射プリズムをロボットに用いる。例えば、ロボットの両側（左右）に一つずつ配置する。トータルステーション８１０から各プリズムまでの距離を用いて、穿孔線に対するロボットの回転を算出する。この方法には、人間によるエラーや誤差がなくなり、全ての孔がトータルステーション８１０の測定システムの能力の範囲内で保証された正確性を有するという利点がある。一方、ロボットが穿孔位置に到達、停止した後、トータルステーション８１０が２つのプリズムの位置を測定する必要があるため、より長い時間を要する可能性がある。各プリズムの測定を多少素早く行うことは可能であるが、トータルステーション８１０を次のプリズムに向けて、再度測定を行う必要がある。
【０１６７】
更に別の方法では、３スペースセンサ（例えば、慣性計測装置のような、３軸加速度計、３軸ジャイロ、及び３軸磁気計の組み合わせ）又はより高品質のジャイロ（例えば、６又は９自由度のジャイロ又はＩＭＵ）を用いて、ロボットのヨー又は回転を測定する。ジャイロに対して基準位置を設定するために、開始位置において平行線の測定又は２つのプリズムの測定が必要である。所与の既知のジャイロセンサのドリフト及び既知の正確性に基づいて、ＩＭＵ８１２の較正を行う頻度を算出することができる。
【０１６８】
吊り天井等の特定の穿孔作業における孔の正確さは、例えば据え付け品等の電気設備と同等の精度を必要としない。このため、正確性が過度に高い測定プロセスを用いた場合、穿孔時間が不要に増えて、穿孔装置１００の効率が低下してしまう。
【０１６９】
ジャイロ／ＩＭＵ８１２は、データをロボットサーバ８０３に瞬時に提供できるため、穿孔装置１００が静止したタイミングと穿孔が開始可能なタイミングとの間に遅延が生じない。
【０１７０】
このような構成では、ロボットに設けられた視覚システム８１１を用いて、ロボットに対する天井の平面を探し、測定してよい。視覚システム８１１は、ロボットと天井との間の距離を測定することもできる。この追加的な情報は、ロボットがロボットアーム１１０を具体的にどのように動かすべきかを判断する上で役立ち、また、ミリオーダの精度を有する屋内位置決めシステムを穿孔装置１００に提供できる。視覚システム８１１はスキャナを含むことができ、これにより、例えば、天井に取り付け済みの部品の位置及びその物理的な境界を特定し、更には意図的に非平面になっている天井にも対応できる。
【０１７１】
ロボットサーバ８０３は穿孔対象孔の座標を含むファイル（ステップ１１０４のＣＳＶファイル）を受信すると、ステップ１１０９においてロボットアームが現在位置から届く範囲内の穿孔対象孔の作業リストを作成する。
【０１７２】
この時点で、穿孔対象孔の座標（各孔の深さも含む）を、ＢＩＭ座標系からレーザーステーション座標の現実世界の位置にマッピングできる。穿孔装置１００の位置も、ステップ１１０８により既知である。穿孔装置１００の位置は、ロボットアーム１１０のベース又は装置の他の部分に反射プリズムを取り付けて、プリズムの位置とロボットアームのベースとが固定の既知の関係となるようにすることで、容易に測定可能である。
【０１７３】
ステップ１１０９の一部として、操作者に対して、通常この段階で作業リストが例えばスクリーン上に表示物として提示され、特定の穿孔動作を優先したり、整理し直したりする機会が与えられる。作業リストが最適であると判断すると、ロボットサーバは、ステップ１１１０においてロボットアームにＢＩＭファイルの計画に沿って１組の孔を開けさせることで、作業リストを実行する。
【０１７４】
ステップ１１１０においてＢＩＭファイルの指示に従って上記１組の孔が開けられ、用意された後は、穿孔装置１００の位置を移動し、ステップ１１０８から処理を繰り返してよい。したがって、ステップ１１０８において穿孔装置１００の位置が再度測定され、ステップ１１０９において新たな作業リストが作成され、ステップ１１１０においてＢＩＭファイルに従って新たな１組の孔が開けられ、用意される。
【０１７５】
上記のステップは、ＢＩＭファイルの指示に従って、建物の特定の領域における全ての孔又は特定の作業スケジュールにおける全ての孔が開けられ、用意されるまで繰り返してよい。
【０１７６】
穿孔装置１００の傾きをどのように補正するべきかという問題ある。ロボットアーム１１０が取り付けられた昇降機構は、例えば離れた位置に孔を開けるためにロボットアーム１１０を伸ばしたことで上げられた状態の載置物の重心が移動した場合、傾いてしまう可能性が高い。従来のシザーリフトは、特にジョイントが摩耗すると、この傾きが発生する可能性があり、リフトを上げる高さに応じて傾き量が増加する。ロボットアームのジョイントも動いてしまうことがあるが、昇降機構に比べれば無視できるほどであることが多い。
【０１７７】
昇降機構が数度傾いただけでも、ドリル先の位置が数ミリ変位し、開けられた孔は、意図した穿孔位置から外側に僅かに離れてしまう。また、ドリル先が天井に対して直角ではなく鋭角で接触するため、ドリル先が激しく振動し且つ横方向にずれてしまい、穿孔動作が困難になってしまう。傾きが大きい場合は、孔が広がり、孔の内径に対応して作られた締結プラグがきつく嵌合しない可能性がある。この結果、重い設備が天井に取り付けられた場合、プラグが緩む危険性があり、また、取り付けられた設備が落下する危険性さえある。一方、傾きを回避できれば、ドリルビットがはまり込む可能性が低くなり、より整っており且つより円形な、意図した寸法に忠実な孔になる。
【０１７８】
この傾きの問題を解決するために、９自由度又は６自由度のスペースセンサ（上記した基準線に対する穿孔装置１００の向きを測定するためのセンサと同じものが使用可能）をロボットに搭載可能である。これにより、ロボットの移動前の位置と、ロボットアームを伸ばした後であり且つ穿孔の開始前の位置を測定して、傾きの有無を判定し、適宜ドリルの位置を移動させ且つ／又はドリルを回転させて補正を行うことが可能である。
【０１７９】
別の方法では、穿孔中に上記のようなセンサからのデータを監視又は記録する。これにより、特定の穿孔装置１００に対する補正の量及び穿孔中に受ける力を調整するために、穿孔中に通常何が起こっているのかをシステムに認識させることができる。しかし、トータルステーション８１０とプリズムとの間又は視覚システム８１１と天井との間の視線の制限により、穿孔動作中に傾き又は撓みを監視し続けるは困難である可能性がある。記録データは、穿孔中に作用する力の増加に起因する追加的な傾き又は撓みの補正を考慮に入れる場合に使用できる。
【０１８０】
更に別の方法では、穿孔の開始前にドリル１２２の正確な位置を判定できるように、ロボットアームの可動端の近傍にプリズムを取り付けてもよい。フィードバックシステムを用いて、傾きによって生じるドリル先の変位が所定の閾値を超えたことをロボットサーバ８０３に伝えることが可能であり、これに対して、ロボットサーバ８０３は適宜ドリル１２２の位置を移動させる又はドリル１２２を回転させて補正を行える。
【０１８１】
図１２は、穿孔装置１００で使用可能な１組のサーボ制御された誘導レーザを示す。
【０１８２】
視覚システム８１１は、誘導レーザを用いて天井に線（２本）を投影する。これらは、ロボットに対する天井の距離及び角度（ピッチ及びロール）等の特定のパラメータを算出するために用いられる。建設現場での経験により、誘導レーザを固定の角度に設定すると問題が発生し得ることがわかっている。しかし、誘導レーザをロボットサーバ８０３により制御可能なサーボ機構に取り付けることで、これらの誘導レーザは、ロボットの視覚システムのカメラの視野内のどこにでも線を投影できるようになる。これは、例えば主天井から下方に突出する梁、特に幅狭の梁に沿って孔を開けるときに非常に役立つ。通常、固定式の誘導レーザは、このような梁を示すには幅が広すぎであり、視覚システムが梁を全く視認できず、ロボットが梁に衝突するという場合も考えられる
【０１８３】
このため、図１２に示すように、視覚システム８１１は、第１及び第２誘導レーザ１２０１，１２０２及びそれぞれのレーザ光線１２０３、１２０４を備える。誘導レーザ１２０１，１２０２のそれぞれは、光線の角度を幅狭設定用と幅広設定用の角度の間で切り替えられるように、サーボ機構に取り付けられている。
【０１８４】
図１３は、ロボットアーム上のドリル用の真空アタッチメントの斜視図を示す。現在入手可能な真空アタッチメントは、ドリルに直接接続されるものであり、ドリルのハウジングの形状に一致した状態で係合する必要がある。本発展例では、真空カラー３０１がドリルクランプを介してロボットアームに取り付け可能になっている。これにより、真空カラーを交換することなく、ドリルを交換できる。また、カラーを交換することなく、ドリルのチャックをＳＤＳから通常のチャックに交換できる。更に、物体又は壁に対して穿孔を行うときに真空機器を一方側に移動することができ、穿孔装置１００全体の位置を移動することなく穿孔作業を進めることができる。真空機器は、真空システムの取り付け及び取り外しを容易にする簡易着脱コネクタ１３０２を備えてよい。
【０１８５】
図１４ａは、穿孔装置１００に取り付けられ、トータルステーション測定システムと共に用いられるプリズムの上部に嵌合可能な代表的なプリズムキャップ１４０１の斜視図である。図１４ｂは、プリズムキャップ１４０１の側面図である。以下のような問題が生じている。標準的なプリズムは、ねじ釘状に上方に突出した上部を有する形状を有することが多い。この形状は、穿孔時にロボットがプリズムの周囲を動き回るときに通過するケーブルがプリズムに引っかかるため、邪魔になる。図示したようなプリズムキャップ１４０１はねじ釘状の部分を覆うことができるため、ケーブルが引っかかりにくい。
【０１８６】
プリズムキャップ１４０１には更なる働きがある。トータルステーションは、穿孔線の測定中に間違ったプリズムにロックし易いという問題が確認されている。プリズムキャップ１４０１を上部に載せたプリズムを穿孔装置１００に取り付けた場合、操作者は、容易にプリズムキャップ１４０１を回して、トータルステーションの視界からプリズムを隠すことができる。プリズムが視界から消えるため、トータルステーションは、穿孔ラインのマーキングに用いられている正しいプリズムにロックすることになる。
【０１８７】
１つの態様として、プリズムキャップは、外周１４０２ａを有する上面１４０２と、上面１４０２の下側に設けられ、プリズムが取り付けられるように構成されたねじ穴１４０３と、上面の外周から延在する遮蔽部１４０４とを備える。遮蔽部は、上面の下側におけるプリズムが配置される領域を遮蔽するように構成される。遮蔽部は、上面の外周１４０２ａにおける９０°〜２７０°と等しい角距離だけ外周に沿って延在している。好適には、遮蔽部は、１００°以上且つ１５０°未満（例えば、１２０°）だけ延在する。プリズムキャップ１４０１は、プラスチックや他の適した不透明材料の成形品であってよい。好適には、上面１４０２は円形であり、遮蔽部１４０４は上面１４０２から垂下する円筒壁の一部を形成する。しかし、他の形状も等しく可能である。
【図１】
2017537808.tif 000003
【図２】
2017537808.tif 000004
【図３ａ】
2017537808.tif 000005
【図３ｂ】
2017537808.tif 000006
【図４】
2017537808.tif 000007
【図５】
2017537808.tif 000008
【図６】
2017537808.tif 000009
【図７ａ】
2017537808.tif 000010
【図７ｂ】
2017537808.tif 000011
【図８ａ】
2017537808.tif 000012
【図８ｂ】
2017537808.tif 000013
【図９ａ】
2017537808.tif 000014
【図９ｂ】
2017537808.tif 000015
【図１０ａ】
2017537808.tif 000016
【図１０ｂ】
2017537808.tif 000017
【図１０ｃ】
2017537808.tif 000018
【図１１】
2017537808.tif 000019
【図１２】
2017537808.tif 000020
【図１３】
2017537808.tif 000021
【図１４ａ】
2017537808.tif 000022
【図１４ｂ】
2017537808.tif 000023
【国際調査報告】
2017537808.tif 000024
2017537808.tif 000025
2017537808.tif 000026
2017537808.tif 000027
2017537808.tif 000028
2017537808.tif 000029